(57)【要約】  本発明の実施例はデータ伝送方法及び装置を開示し、端末がグラントフリー（ｇｒａｎｔ−ｆｒｅｅ）方式でアップリンクデータを送信することと、前記端末が目標時間窓内において、データ伝送チャネルの構成情報を示すためのスケジューリング情報を検出して、検出結果を生成することと、前記端末が前記検出結果に基づいて前記アップリンクデータを再度送信するかどうかを確定することと、を含む。本発明の実施例はデータ伝送遅延の短縮、データ伝送効率、知能性及び安定性の向上に役立つ。
2020505803.tif 000002
【特許請求の範囲】
【請求項１】
データ伝送方法であって、
端末は、グラントフリー（ｇｒａｎｔ−ｆｒｅｅ）方式でアップリンクデータを送信することと、
前記端末は、目標時間窓内において、データ伝送チャネルの構成情報を示すためのスケジューリング情報を検出して、検出結果を生成することと、
前記端末は、前記検出結果に基づいて前記アップリンクデータを再度送信するかどうかを確定することと、を含むことを特徴とする、前記データ伝送方法。
【請求項２】
前記方法は、更に、
前記端末は、前記目標時間窓の長さ及び／又は前記目標時間窓の開始位置を示すための指示情報を受信することを含むことを特徴とする
請求項１に記載の方法。
【請求項３】
前記目標時間窓の開始位置は、
前記アップリンクデータの終了位置、前記アップリンクデータの所在時間ユニットの終了位置、前記アップリンクデータの所在時間ユニットの後のＡ番目の時間ユニットの開始位置、前記上記データの後のＢ番目のダウンリンク制御情報伝送ユニットの開始位置のうちのいずれか１つであり、ＡとＢが正の整数であることを特徴とする
請求項１又は２に記載の方法。
【請求項４】
前記目標時間窓はＬ個のダウンリンク制御情報伝送ユニットを含み、前記ダウンリンク制御情報伝送ユニットはダウンリンク制御シグナリングを伝送することに用いられ、Ｌが正の整数であることを特徴とする
請求項１〜３のいずれか１項に記載の方法。
【請求項５】
前記スケジューリング情報はアップリンクデータ伝送をスケジューリングすることに用いられ、又は、
前記スケジューリング情報はアップリンクデータ伝送をスケジューリングすることに用いられ、且つ前記アップリンクデータを伝送するために使用される時間長が目標時間ユニットの長さと同じであり、前記目標時間ユニットは前記端末がｇｒａｎｔ−ｆｒｅｅでアップリンクデータを送信する時間ユニットであることを特徴とする
請求項１〜４のいずれか１項に記載の方法。
【請求項６】
前記スケジューリング情報はダウンリンクデータ伝送をスケジューリングすることに用いられることを特徴とする
請求項１〜４のいずれか１項に記載の方法。
【請求項７】
前記端末が前記検出結果に基づいて前記アップリンクデータを再度送信するかどうかを確定することは、
前記端末は、前記検出結果がスケジューリング情報受信済みであることを確定し、ネットワーク機器が前記アップリンクデータを正しく受信したことを確定することを含むことを特徴とする
請求項１〜４のいずれか１項に記載の方法。
【請求項８】
前記端末が前記検出結果に基づいて前記アップリンクデータを再度送信するかどうかを確定することは、
前記端末は、前記検出結果がスケジューリング情報受信済みであることを確定し、且つ前記スケジューリング情報における情報ドメインの値が約定値である場合、ネットワーク機器が前記アップリンクデータを正しく受信したことを確定することを含むことを特徴とする
請求項１〜４のいずれか１項に記載の方法。
【請求項９】
前記端末が前記検出結果に基づいて前記アップリンクデータを再度送信するかどうかを確定することは、
前記端末は、前記検出結果がスケジューリング情報未受信であることを確定し、ネットワーク機器が前記アップリンクデータを正しく受信していないことを確定し、又は、
前記端末は、前記検出結果がスケジューリング情報受信済みであることを確定し、且つ前記スケジューリング情報における情報ドメインの値が約定値に等しくない場合、ネットワーク機器が前記アップリンクデータを正しく受信していないことを確定し、又は、
前記端末は、前記検出結果がスケジューリング情報未受信であることを確定し、前記アップリンクデータを再度送信することを確定し、又は、
前記端末は、前記検出結果がスケジューリング情報受信済みであることを確定し、且つ前記スケジューリング情報における情報ドメインの値が約定値に等しくない場合、前記アップリンクデータを再度送信することを確定することを含むことを特徴とする
請求項１〜４のいずれか１項に記載の方法。
【請求項１０】
前記目標時間窓はＮ個の時間ユニットを含み、前記時間ユニットの長さが目標時間ユニットの長さと同じであり、前記目標時間ユニットは前記端末がグラントフリー（ｇｒａｎｔ−ｆｒｅｅ）方式でアップリンクデータを送信するための時間ユニットであり、Ｎが正の整数であり、又は、
前記目標時間窓はＮ個の時間ユニットを含み、前記時間ユニットの長さがダウンリンクデータ伝送ユニットの長さと同じであり、前記ダウンリンクデータ伝送ユニットはネットワーク機器がダウンリンクデータを送信することに用いられることを特徴とする
請求項１〜３のいずれか１項に記載の方法。
【請求項１１】
前記構成情報が無効情報であり、前記無効情報は、前記端末が前記スケジューリング情報に示されるデータ伝送チャネルがデータ伝送をスケジューリングしていないことを確定することに用いられることを特徴とする
請求項１〜３のいずれか１項に記載の方法。
【請求項１２】
データ伝送方法であって、
ネットワーク機器は、端末がグラントフリー（ｇｒａｎｔ−ｆｒｅｅ）方式で送信したアップリンクデータを正しく受信することと、
前記ネットワーク機器は、目標時間窓内においてスケジューリング情報を送信し、前記スケジューリング情報が、前記ネットワーク機器が前記アップリンクデータを正しく受信したことを前記端末に通知することに用いられ、前記スケジューリング情報が、データ伝送チャネルの構成情報を示すことに用いられることと、を含むことを特徴とする、前記データ伝送方法。
【請求項１３】
前記方法は、更に、
前記ネットワーク機器は、前記目標時間窓の長さ及び／又は前記目標時間窓の開始位置を示すための指示情報を送信することを含むことを特徴とする
請求項１２に記載の方法。
【請求項１４】
前記目標時間窓の開始位置は、
前記アップリンクデータの終了位置、前記アップリンクデータの所在時間ユニットの終了位置、前記アップリンクデータの所在時間ユニットの後のＡ番目の時間ユニットの開始位置、前記上記データの後のＢ番目のダウンリンク制御情報伝送ユニットの開始位置のうちのいずれか１つであり、ＡとＢが正の整数であることを特徴とする
請求項１２又は１３に記載の方法。
【請求項１５】
前記目標時間窓はＬ個のダウンリンク制御情報伝送ユニットを含み、前記ダウンリンク制御情報伝送ユニットはダウンリンク制御シグナリングを伝送することに用いられ、Ｌが正の整数であることを特徴とする
請求項１２〜１４のいずれか１項に記載の方法。
【請求項１６】
前記スケジューリング情報はアップリンクデータ伝送をスケジューリングすることに用いられ、又は、
前記スケジューリング情報はアップリンクデータ伝送をスケジューリングすることに用いられ、且つ前記アップリンクデータを伝送するために使用される時間長が目標時間ユニットの長さと同じであり、前記目標時間ユニットは前記端末がｇｒａｎｔ−ｆｒｅｅでアップリンクデータを送信する時間ユニットであることを特徴とする
請求項１２〜１５のいずれか１項に記載の方法。
【請求項１７】
前記スケジューリング情報はダウンリンクデータ伝送をスケジューリングすることに用いられることを特徴とする
請求項１２〜１５のいずれか１項に記載の方法。
【請求項１８】
前記スケジューリング情報における情報ドメインの値が約定値であることを特徴とする
請求項１２〜１５のいずれか１項に記載の方法。
【請求項１９】
前記目標時間窓はＮ個の時間ユニットを含み、前記時間ユニットの長さが目標時間ユニットの長さと同じであり、前記目標時間ユニットは前記端末がグラントフリー（ｇｒａｎｔ−ｆｒｅｅ）方式でアップリンクデータを送信するための時間ユニットであり、Ｎが正の整数であり、又は、
前記目標時間窓はＮ個の時間ユニットを含み、前記時間ユニットの長さがダウンリンクデータ伝送ユニットの長さと同じであり、前記ダウンリンクデータ伝送ユニットはネットワーク機器がダウンリンクデータを送信することに用いられることを特徴とする
請求項１２〜１４のいずれか１項に記載の方法。
【請求項２０】
前記構成情報が無効情報であり、前記無効情報は、前記端末が前記スケジューリング情報に示されるデータ伝送チャネルがデータ伝送をスケジューリングしていないことを確定することに用いられることを特徴とする
請求項１２〜１４のいずれか１項に記載の方法。
【請求項２１】
端末であって、
処理ユニット及び通信ユニットを備え、
前記処理ユニットは、グラントフリー（ｇｒａｎｔ−ｆｒｅｅ）方式で前記通信ユニットによってアップリンクデータを送信するように構成され、また、目標時間窓内において、データ伝送チャネルの構成情報を示すためのスケジューリング情報を検出して、検出結果を生成するように構成され、また、前記検出結果に基づいて前記アップリンクデータを再度送信するかどうかを確定するように構成されることを特徴とする、前記端末。
【請求項２２】
前記処理ユニットは、更に、前記通信ユニットによって前記目標時間窓の長さ及び／又は前記目標時間窓の開始位置を示すための指示情報を受信するように構成されることを特徴とする
請求項２１に記載の端末。
【請求項２３】
前記目標時間窓の開始位置は、
前記アップリンクデータの終了位置、前記アップリンクデータの所在時間ユニットの終了位置、前記アップリンクデータの所在時間ユニットの後のＡ番目の時間ユニットの開始位置、前記上記データの後のＢ番目のダウンリンク制御情報伝送ユニットの開始位置のうちのいずれか１つであり、ＡとＢが正の整数であることを特徴とする
請求項２１又は２２に記載の端末。
【請求項２４】
前記目標時間窓はＬ個のダウンリンク制御情報伝送ユニットを含み、前記ダウンリンク制御情報伝送ユニットはダウンリンク制御シグナリングを伝送することに用いられ、Ｌが正の整数であることを特徴とする
請求項２１〜２３のいずれか１項に記載の端末。
【請求項２５】
前記スケジューリング情報はアップリンクデータ伝送をスケジューリングすることに用いられ、又は、
前記スケジューリング情報はアップリンクデータ伝送をスケジューリングすることに用いられ、且つ前記アップリンクデータを伝送するために使用される時間長が目標時間ユニットの長さと同じであり、前記目標時間ユニットは前記端末がｇｒａｎｔ−ｆｒｅｅでアップリンクデータを送信する時間ユニットであることを特徴とする
請求項２１〜２４のいずれか１項に記載の端末。
【請求項２６】
前記スケジューリング情報はダウンリンクデータ伝送をスケジューリングすることに用いられることを特徴とする
請求項２１〜２４のいずれか１項に記載の端末。
【請求項２７】
前記処理ユニットは、具体的に、前記検出結果がスケジューリング情報受信済みであることを確定し、ネットワーク機器が前記アップリンクデータを正しく受信したことを確定するように構成されることを特徴とする
請求項２１〜２４のいずれか１項に記載の端末。
【請求項２８】
前記処理ユニットは、具体的に、前記検出結果がスケジューリング情報受信済みであることを確定し、且つ前記スケジューリング情報における情報ドメインの値が約定値である場合、ネットワーク機器が前記アップリンクデータを正しく受信したことを確定するように構成されることを特徴とする
請求項２１〜２４のいずれか１項に記載の端末。
【請求項２９】
前記処理ユニットは、具体的に、前記検出結果がスケジューリング情報未受信であることを確定し、ネットワーク機器が前記アップリンクデータを正しく受信していないことを確定し、又は、前記検出結果がスケジューリング情報受信済みであることを確定し、且つ前記スケジューリング情報における情報ドメインの値が約定値に等しくない場合、ネットワーク機器が前記アップリンクデータを正しく受信していないことを確定し、又は、前記検出結果がスケジューリング情報未受信であることを確定し、前記アップリンクデータを再度送信することを確定し、又は、前記検出結果がスケジューリング情報受信済みであることを確定し、且つ前記スケジューリング情報における情報ドメインの値が約定値に等しくない場合、前記アップリンクデータを再度送信することを確定するように構成されることを特徴とする
請求項２１〜２４のいずれか１項に記載の端末。
【請求項３０】
前記目標時間窓はＮ個の時間ユニットを含み、前記時間ユニットの長さが目標時間ユニットの長さと同じであり、前記目標時間ユニットは前記端末がグラントフリー（ｇｒａｎｔ−ｆｒｅｅ）方式でアップリンクデータを送信するための時間ユニットであり、Ｎが正の整数であり、又は、
前記目標時間窓はＮ個の時間ユニットを含み、前記時間ユニットの長さがダウンリンクデータ伝送ユニットの長さと同じであり、前記ダウンリンクデータ伝送ユニットはネットワーク機器がダウンリンクデータを送信することに用いられることを特徴とする
請求項２１〜２３のいずれか１項に記載の端末。
【請求項３１】
前記構成情報が無効情報であり、前記無効情報は、前記端末が前記スケジューリング情報に示されるデータ伝送チャネルがデータ伝送をスケジューリングしていないことを確定することに用いられることを特徴とする
請求項２１〜２３のいずれか１項に記載の端末。
【請求項３２】
ネットワーク機器であって、
処理ユニット及び通信ユニットを備え、
前記処理ユニットは、前記通信ユニットによって端末がグラントフリー（ｇｒａｎｔ−ｆｒｅｅ）方式で送信したアップリンクデータを正しく受信するように構成され、また、目標時間窓内においてスケジューリング情報を送信するように構成され、前記スケジューリング情報が、前記ネットワーク機器が前記アップリンクデータを正しく受信したことを前記端末に通知することに用いられ、前記スケジューリング情報が、データ伝送チャネルの構成情報を示すことに用いられることを特徴とする、前記ネットワーク機器。
【請求項３３】
前記処理ユニットは、更に、前記通信ユニットによって前記目標時間窓の長さ及び／又は前記目標時間窓の開始位置を示すための指示情報を送信することに用いられることを特徴とする
請求項３２に記載のネットワーク機器。
【請求項３４】
前記目標時間窓の開始位置は、
前記アップリンクデータの終了位置、前記アップリンクデータの所在時間ユニットの終了位置、前記アップリンクデータの所在時間ユニットの後のＡ番目の時間ユニットの開始位置、前記上記データの後のＢ番目のダウンリンク制御情報伝送ユニットの開始位置のうちのいずれか１つであり、ＡとＢが正の整数であることを特徴とする
請求項３２又は３３に記載のネットワーク機器。
【請求項３５】
前記目標時間窓はＬ個のダウンリンク制御情報伝送ユニットを含み、前記ダウンリンク制御情報伝送ユニットはダウンリンク制御シグナリングを伝送することに用いられ、Ｌが正の整数であることを特徴とする
請求項３２〜３４のいずれか１項に記載のネットワーク機器。
【請求項３６】
前記スケジューリング情報はアップリンクデータ伝送をスケジューリングすることに用いられ、又は、
前記スケジューリング情報はアップリンクデータ伝送をスケジューリングすることに用いられ、且つ前記アップリンクデータを伝送するために使用される時間長が目標時間ユニットの長さと同じであり、前記目標時間ユニットは前記端末がｇｒａｎｔ−ｆｒｅｅでアップリンクデータを送信する時間ユニットであることを特徴とする
請求項３２〜３５のいずれか１項に記載のネットワーク機器。
【請求項３７】
前記スケジューリング情報はダウンリンクデータ伝送をスケジューリングすることに用いられることを特徴とする
請求項３２〜３５のいずれか１項に記載のネットワーク機器。
【請求項３８】
前記スケジューリング情報における情報ドメインの値が約定値であることを特徴とする
請求項３２〜３５のいずれか１項に記載のネットワーク機器。
【請求項３９】
前記目標時間窓はＮ個の時間ユニットを含み、前記時間ユニットの長さが目標時間ユニットの長さと同じであり、前記目標時間ユニットは前記端末がグラントフリー（ｇｒａｎｔ−ｆｒｅｅ）方式でアップリンクデータを送信するための時間ユニットであり、Ｎが正の整数であり、又は、
前記目標時間窓はＮ個の時間ユニットを含み、前記時間ユニットの長さがダウンリンクデータ伝送ユニットの長さと同じであり、前記ダウンリンクデータ伝送ユニットはネットワーク機器がダウンリンクデータを送信することに用いられることを特徴とする
請求項３２〜３４のいずれか１項に記載のネットワーク機器。
【請求項４０】
前記構成情報が無効情報であり、前記無効情報は、前記端末が前記スケジューリング情報に示されるデータ伝送チャネルがデータ伝送をスケジューリングしていないことを確定することに用いられることを特徴とする
請求項３２〜３４のいずれか１項に記載のネットワーク機器。
【請求項４１】
端末であって、
プロセッサ、メモリ及び送受信機を備え、前記プロセッサが前記メモリ及び前記送受信機に通信接続され、
前記メモリはプログラムコードとデータを記憶することに用いられ、前記プロセッサは前記メモリにおけるプログラムコードとデータを呼び出して、請求項１〜１１のいずれか１項に記載の方法を実行することに用いられることを特徴とする、前記端末。
【請求項４２】
ネットワーク機器であって、
プロセッサ、メモリ及び送受信機を備え、前記プロセッサが前記メモリ及び前記送受信機に通信接続され、
前記メモリはプログラムコードとデータを記憶することに用いられ、前記プロセッサは前記メモリにおけるプログラムコードとデータを呼び出して、請求項１１〜２０のいずれか１項に記載の方法を実行することに用いられることを特徴とする、前記ネットワーク機器。
【発明の詳細な説明】
【技術分野】
【０００１】
本発明は通信技術分野に関し、特にデータ伝送方法及び装置に関する。
【背景技術】
【０００２】
現在、第４世代（４Ｇ：４ｔｈ  Ｇｅｎｅｒａｔｉｏｎ）移動体通信ネットワーク、例えばロングタームエボリューション（ＬＴＥ：Ｌｏｎｇ  Ｔｅｒｍ  Ｅｖｏｌｕｔｉｏｎ）ネットワークは既に広範囲のカバレッジを実現した。４Ｇネットワークはその通信速度が速く、ネットワークスペクトルが広く、柔軟に通信できるという特徴を有する。しかしながら、モノのインターネット、クルマのインターネット等のネットワークニーズの出現により、ユーザーの次世代の移動体通信ネットワーク、すなわち第５世代（５Ｇ：５ｔｈ  Ｇｅｎｅｒａｔｉｏｎ）移動体通信ネットワークに対する要求がますます多くなり、例えば連続した広範囲なカバレッジ１００メガバイト／秒（Ｍｂｐｓ）のユーザー体験速度、ホットスポット１ギガバイト／秒（Ｇｂｐｓ）のユーザー体験速度、１ミリ秒（ｍｓ）以内のエアインタフェース遅延、１００ｍｓ以内のエンドツーエンド遅延、信頼性保障等に対する要求が求められている。
【０００３】
従来の５Ｇ（ＮＲ：ｎｅｗ  ｒａｄｉｏ）システムはグラントフリーアップリンク伝送（「ｇｒａｎｔ−ｆｒｅｅ」ＵＬ  ｔｒａｎｓｍｉｓｓｉｏｎ）をサポートしており、つまり、端末は伝送すべきデータがあるとき、基地局のスケジューリングを待たずにデータを自動送信することができる。このような伝送方式はシステム内の制御シグナリングオーバーヘッドの低減、エンドツーエンド遅延の短縮、端末の消費電力の低減に役立ち、従って、特に低周波数の小さなパケットサービス、低遅延要件サービス等に適用される。このような伝送方式には、端末は基地局が該端末から送信されたアップリンクデータを正しく受信したかどうかをどのように確定するかの問題がある。
【発明の概要】
【発明が解決しようとする課題】
【０００４】
端末がｇｒａｎｔ−ｆｒｅｅデータを送信した後、再伝送する必要があるかどうかを確定する方法を提供するために、本発明の実施例はデータ伝送方法及び装置を提供する。
【課題を解決するための手段】
【０００５】
第１態様では、本発明の実施例はデータ伝送方法を提供し、
端末がグラントフリー（ｇｒａｎｔ−ｆｒｅｅ）方式でアップリンクデータを送信することと、
前記端末が目標時間窓内において、おいて、データ伝送チャネルの構成情報を示すためのスケジューリング情報を検出して、検出結果を生成することと、
前記端末が前記検出結果に基づいて前記アップリンクデータを再度送信するかどうかを確定することと、を含む。
【０００６】
第２態様では、本発明の実施例はデータ伝送方法を提供し、
ネットワーク機器は端末がグラントフリー（ｇｒａｎｔ−ｆｒｅｅ）方式で送信したアップリンクデータを正しく受信することと、
前記ネットワーク機器は目標時間窓内において、おいて、前記ネットワーク機器が前記アップリンクデータを正しく受信したことを前記端末に通知するための、データ伝送チャネルの構成情報を示すためのスケジューリング情報を送信することと、を含む。
【０００７】
第３態様では、本発明の実施例は端末を提供し、該端末は上記方法設計における端末の挙動を実現する機能を有する。前記機能はハードウェアにより実現されてもよいし、ハードウェアが対応するソフトウェアを実行することで実現されてもよい。前記ハードウェア又はソフトウェアは上記機能に対応する１つ又は複数のモジュールを備える。
【０００８】
１つの可能な設計では、端末はプロセッサを備え、前記プロセッサは端末が上記方法における対応する機能を実行することをサポートするように構成される。更に、端末は更に送受信機を備えてもよく、前記送受信機は端末とネットワーク機器との通信をサポートすることに用いられる。更に、端末は更にメモリを備えてもよく、前記メモリはプロセッサに結合されることに用いられ、且つ端末に必要なプログラム命令とデータを保存する。
【０００９】
第４態様では、本発明の実施例はネットワーク機器を提供し、該ネットワーク機器は上記方法設計におけるネットワーク機器の挙動を実現する機能を有する。前記機能はハードウェアにより実現されてもよいし、ハードウェアが対応するソフトウェアを実行することで実現されてもよい。前記ハードウェア又はソフトウェアは上記機能に対応する１つ又は複数のモジュールを備える。
【００１０】
１つの可能な設計では、ネットワーク機器はプロセッサを備え、前記プロセッサはネットワーク機器が上記方法における対応する機能を実行することをサポートするように構成される。更に、ネットワーク機器は更に送受信機を備えてもよく、前記送受信機はネットワーク機器と端末との通信をサポートすることに用いられる。更に、ネットワーク機器は更にメモリを備えてもよく、前記メモリはプロセッサに結合されることに用いられ、且つネットワーク機器に必要なプログラム命令とデータを保存する。
【発明の効果】
【００１１】
以上から、本発明の実施例では、端末は端末とネットワーク機器とがデータ伝送準備を行う待機遅延を短縮し、グラントフリー方式でアップリンクデータをリアルタイムに伝送して、アップリンクデータを再度送信する必要があるかどうかを正確に確定することができ、データ伝送遅延の短縮、データ伝送効率、精度及び安定性の向上に役立つ。
【図面の簡単な説明】
【００１２】
【図１】図１は本発明の実施例に係る可能な通信システムのネットワークアーキテクチャの図である。
【図２Ａ】図２Ａは本発明の実施例に係るデータ伝送方法のフローチャートである。
【図２Ｂ】図２Ｂは本発明の実施例に係る目標時間窓の開始位置の例示図である。
【図２Ｃ】図２Ｃは本発明の実施例に係るネットワーク機器が目標時間窓内において、おいて、アップリンクデータを送信する例示図である。
【図２Ｄ】図２Ｄは本発明の実施例に係る他のネットワーク機器が目標時間窓内において、おいて、アップリンクデータを送信する例示図である。
【図２Ｅ】図２Ｅは本発明の実施例に係る他のネットワーク機器が目標時間窓内において、おいて、アップリンクデータを送信する例示図である。
【図２Ｆ】図２Ｆは本発明の実施例に係るネットワーク機器がアップリンクデータを正しく受信すると確定する模式図である。
【図２Ｇ】図２Ｇは本発明の実施例に係るネットワーク機器がアップリンクデータを正しく受信すると確定する他の模式図である。
【図２Ｈ】図２Ｈは本発明の実施例に係る端末がアップリンクデータを再度送信することを確定する模式図である。
【図３Ａ】図３Ａは本発明の実施例に係る端末の機能ユニットの構成ブロック図である。
【図３Ｂ】図３Ｂは本発明の実施例に係る端末の構造模式図である。
【図４Ａ】図４Ａは本発明の実施例に係るネットワーク機器の機能ユニットの構成ブロック図である。
【図４Ｂ】図４Ｂは本発明の実施例に係るネットワーク機器の構造模式図である。
【図５】図５は本発明の実施例に係る端末の構造模式図である。
【発明を実施するための形態】
【００１３】
以下、実施例又は従来技術の記述において必要な図面を用いて簡単に説明を行う。
【００１４】
以下、図面を参照しながら本発明の実施例の技術案を説明する。
【００１５】
図１に示すように、図１は本発明の実施例に係る可能なネットワークアーキテクチャである。該ネットワークアーキテクチャはネットワーク機器及び端末を備え、端末がネットワーク機器の提供する移動体通信ネットワークにアクセスされるとき、端末とネットワーク機器とが無線リンクを介して通信接続されてもよい。該ネットワーク機器は例えば５Ｇネットワーク、又は５Ｇ及び４Ｇ（４ｔｈ  Ｇｅｎｅｒａｔｉｏｎ、第４世代）ハイブリッドネットワーキングシステムにおける基地局であってもよい。本発明の実施例では、用語「ネットワーク」及び「システム」が常に交互に使用されているが、当業者がその意味を理解できる。本発明の実施例に関わる端末は無線通信機能を有する様々な携帯端末、車載装置、ウェアラブル端末、計算装置又は無線モデムに接続される他の処理装置、及び様々なタイプのユーザー装置（ＵＥ：Ｕｓｅｒ  Ｅｑｕｉｐｍｅｎｔ）、移動局（ＭＳ：Ｍｏｂｉｌｅ  Ｓｔａｔｉｏｎ）、端末装置（ｔｅｒｍｉｎａｌ  ｄｅｖｉｃｅ）等を含んでもよい。説明しやすくするために、以上に言及された装置は端末と総称される。
【００１６】
図２Ａに示すように、図２Ａには本発明の実施例に係るデータ伝送方法を示し、ネットワーク機器及び端末を備える移動体通信ネットワークに適用され、前記ネットワーク機器が前記端末に通信接続され、端末の観点から該方法を説明すれば、該方法は２０１〜２０３を含み、具体的には、
２０１において、端末がグラントフリー（ｇｒａｎｔ−ｆｒｅｅ）方式でアップリンクデータを送信する。
【００１７】
２０２において、ネットワーク機器は端末がグラントフリー（ｇｒａｎｔ−ｆｒｅｅ）方式で送信したアップリンクデータを正しく受信する。
【００１８】
２０３において、前記ネットワーク機器は目標時間窓内において、おいて、前記ネットワーク機器が前記アップリンクデータを正しく受信したことを前記端末に通知するための、データ伝送チャネルの構成情報を示すためのスケジューリング情報を送信する。
【００１９】
２０４において、前記端末が目標時間窓内において、データ伝送チャネルの構成情報を示すためのスケジューリング情報を検出して、検出結果を生成する。
【００２０】
２０５において、前記端末が前記検出結果に基づいて前記アップリンクデータを再度送信するかどうかを確定する。
【００２１】
以上から、本発明の実施例では、端末は端末とネットワーク機器とがデータ伝送準備を行う待機遅延を短縮し、グラントフリー方式でアップリンクデータをリアルタイムに伝送して、アップリンクデータを再度送信する必要があるかどうかを正確に確定することができ、データ伝送遅延の短縮、データ伝送効率、精度及び安定性の向上に役立つ。
【００２２】
１つの可能な例では、前記方法は、更に、
前記ネットワーク機器が前記目標時間窓の長さ及び／又は前記目標時間窓の開始位置を示すための指示情報を送信することを含む。
【００２３】
本可能な例では、前記方法は、更に、
前記端末が前記目標時間窓の長さ及び／又は前記目標時間窓の開始位置を示すための指示情報を受信することを含む。
【００２４】
１つの可能な例では、前記目標時間窓の開始位置は、
前記アップリンクデータの終了位置、前記アップリンクデータの所在時間ユニットの終了位置、前記アップリンクデータの所在時間ユニットの後のＡ番目の時間ユニットの開始位置、前記上記データの後のＢ番目のダウンリンク制御情報伝送ユニットの開始位置のうちのいずれか１つであり、ＡとＢが正の整数である。
【００２５】
例えば、図２Ｂに示すように、ネットワーク機器は端末がスロットｎ内にグラントフリー（ｇｒａｎｔ−ｆｒｅｅ）方式で送信したアップリンクデータを正しく受信し、スロット（ｎ＋１）がスロットｎ後のダウンリンク制御シグナリングを伝送可能なスロットであると仮定する場合、ネットワーク機器はスロット（ｎ＋１）内にスケジューリング情報を送信することができる。
【００２６】
１つの可能な例では、前記目標時間窓はＬ個のダウンリンク制御情報伝送ユニットを含み、前記ダウンリンク制御情報伝送ユニットはダウンリンク制御シグナリングを伝送することに用いられ、Ｌが正の整数である。
【００２７】
例えば、図２Ｃに示すように、目標時間窓は４つのダウンリンク制御情報伝送ユニットを備え、ネットワーク機器は端末がスロットｎ内にグラントフリー（ｇｒａｎｔ−ｆｒｅｅ）方式で送信したアップリンクデータを正しく受信すると仮定する場合、ネットワーク機器は図示の４つのダウンリンク制御情報伝送ユニットのうちのいずれか１つのダウンリンク制御情報伝送ユニットにおいてスケジューリング情報を送信することができる。
【００２８】
１つの可能な例では、前記目標時間窓はＮ個の時間ユニットを含み、前記時間ユニットの長さが目標時間ユニットの長さと同じであり、前記目標時間ユニットは前記端末がグラントフリー（ｇｒａｎｔ−ｆｒｅｅ）方式でアップリンクデータを送信するための時間ユニットであり、Ｎが正の整数であり、
例えば、図２Ｄに示すように、目標時間窓は４つの時間ユニットを備え、目標時間ユニットの長さが１つのスロットであり、ネットワーク機器は端末がスロットｎ内にグラントフリー（ｇｒａｎｔ−ｆｒｅｅ）方式で送信したアップリンクデータを正しく受信すると仮定する場合、ネットワーク機器はスロットｎ＋１、スロットｎ＋２、スロットｎ＋３、スロットｎ＋４からなる目標時間窓内において、スケジューリング情報を送信することができる。
【００２９】
１つの可能な例では、前記目標時間窓はＮ個の時間ユニットを含み、前記時間ユニットの長さがダウンリンクデータ伝送ユニットの長さと同じであり、前記ダウンリンクデータ伝送ユニットはネットワーク機器がダウンリンクデータを送信することに用いられる。
【００３０】
例えば、図２Ｅに示すように、目標時間窓は４つの時間ユニットを備え、ダウンリンクデータ伝送ユニットの長さが１つのミニｍｉｎｉスロットであり、ネットワーク機器は端末がスロットｎ内にグラントフリー（ｇｒａｎｔ−ｆｒｅｅ）方式で送信したアップリンクデータを正しく受信すると仮定する場合、ネットワーク機器は目標時間ユニットの後の４つのミニスロットからなる目標時間窓内において、スケジューリング情報を送信することができる。
【００３１】
１つの可能な例では、前記スケジューリング情報はアップリンクデータ伝送をスケジューリングすることに用いられ、又は、
前記スケジューリング情報はアップリンクデータ伝送をスケジューリングすることに用いられ、且つ前記アップリンクデータを伝送するために使用される時間長が目標時間ユニットの長さと同じであり、前記目標時間ユニットは前記端末がｇｒａｎｔ−ｆｒｅｅでアップリンクデータを送信する時間ユニットである。
【００３２】
１つの可能な例では、前記スケジューリング情報はダウンリンクデータ伝送をスケジューリングすることに用いられる。
【００３３】
１つの可能な例では、前記端末が前記検出結果に基づいて前記アップリンクデータを再度送信するかどうかを確定することは、前記端末が、前記検出結果がスケジューリング情報受信済みであることを確定し、ネットワーク機器が前記アップリンクデータを正しく受信したことを確定することを含む。
【００３４】
具体的に実現するとき、図２Ｆに示すように、前記端末が、前記検出結果がスケジューリング情報受信済みであることを確定し、ネットワーク機器が前記アップリンクデータを正しく受信したことを確定することは、
前記端末が、前記検出結果がスケジューリング情報受信済みであることを確定し、且つ前記スケジューリング情報がアップリンクデータ伝送をスケジューリングすることに用いられ、ネットワーク機器が前記アップリンクデータを正しく受信したことを確定することを含む。
【００３５】
具体的に実現するとき、図２Ｇに示すように、前記端末が、前記検出結果がスケジューリング情報受信済みであることを確定し、ネットワーク機器が前記アップリンクデータを正しく受信したことを確定することは、
前記端末が、前記検出結果がスケジューリング情報受信済みであることを確定し、且つ前記スケジューリング情報がダウンリンクデータ伝送をスケジューリングすることに用いられ、ネットワーク機器が前記アップリンクデータを正しく受信したことを確定することを含む。
【００３６】
１つの可能な例では、前記端末が前記検出結果に基づいて前記アップリンクデータを再度送信するかどうかを確定することは、
前記端末が、前記検出結果がスケジューリング情報受信済みであることを確定し、且つ前記スケジューリング情報における情報ドメインの値が約定値である場合、ネットワーク機器が前記アップリンクデータを正しく受信したことを確定することを含む。
【００３７】
例えば、前記情報ドメインの値が１であるとき、ネットワーク機器が前記アップリンクデータを正しく受信したことを示す。
【００３８】
１つの可能な例では、前記端末が前記検出結果に基づいて前記アップリンクデータを再度送信するかどうかを確定することは、
前記端末が、前記検出結果がスケジューリング情報未受信であることを確定し、ネットワーク機器が前記アップリンクデータを正しく受信していないことを確定し、又は、前記端末が、前記検出結果がスケジューリング情報受信済みであることを確定し、且つ前記スケジューリング情報における情報ドメインの値が約定値に等しくない場合、ネットワーク機器が前記アップリンクデータを正しく受信していないことを確定し、又は、
図２Ｈに示すように、前記端末が、前記検出結果がスケジューリング情報未受信であることを確定し、前記アップリンクデータを再度送信することを確定し、又は、前記端末が、前記検出結果がスケジューリング情報受信済みであることを確定し、且つ前記スケジューリング情報における情報ドメインの値が約定値に等しくない場合、前記アップリンクデータを再度送信することを確定することを含む。
【００３９】
１つの可能な例では、前記構成情報が無効情報であり、前記無効情報は前記端末が前記スケジューリング情報に示されるデータ伝送チャネルがデータ伝送をスケジューリングしていないことを確定することに用いられる。
【００４０】
前記スケジューリング情報における特定情報ドメインの値が約定値である場合、前記スケジューリング情報の示す構成情報が無効情報である。
【００４１】
以上は主に各ネットワーク要素同士が対話する観点から本発明の実施例案を説明した。上記機能を実現するために、端末とネットワーク機器には各機能を実行するために対応するハードウェア構造及び／又はソフトウェアモジュールが含まれると理解される。当業者であれば、本発明において本明細書に開示される実施例を参照して説明した各例示的なユニット及びアルゴリズムステップはハードウェア又はハードウェアとコンピュータソフトウェアとの組み合わせで実現されてもよいと容易に理解される。ある機能をハードウェア又はコンピュータソフトウェアでハードウェアを駆動することで実行するかは、技術案の特定応用及び設計制約条件によって確定される。当業者は各特定応用に対して異なる方法で説明される機能を実現することができるが、このような実現は本発明の範囲を超えると見なされるべきではない。
【００４２】
本発明の実施例では、上記方法例に基づいて端末とネットワーク機器に対して機能ユニットの区別を行ってもよく、例えば、各機能に対応して各機能ユニットを区別してもよいし、２つ又は２つ以上の機能を１つの処理ユニットに統合してもよい。上記統合されたユニットはハードウェアの形式で実現されてもよいし、ソフトウェア機能ユニットの形式で実現されてもよい。ただし、本発明の実施例では、ユニットの区別は模式的なものであって、論理機能上の区別に過ぎず、実際に実現するとき、他の区別方式を用いてもよい。
【００４３】
統合されたユニットを用いる場合、図３Ａには上記実施例に関わる第１コアネットワーク装置の可能な構造模式図を示す。端末３００は処理ユニット３０２及び通信ユニット３０３を備える。処理ユニット３０２は端末の動作を制御管理することに用いられ、例えば、処理ユニット３０２は端末が図２Ａにおけるステップ２０１、２０４、２０５及び／又は本明細書に説明される技術に用いた他の過程を実行することをサポートすることに用いられる。通信ユニット３０３は端末と他の装置の通信、例えば図１に示されるネットワーク機器との通信をサポートすることに用いられる。端末は更に端末のプログラムコードとデータを記憶するための記憶ユニット３０１を備えてもよい。
【００４４】
処理ユニット３０２はプロセッサ又はコントローラであってもよく、例えば中央処理装置（ＣＰＵ：Ｃｅｎｔｒａｌ  Ｐｒｏｃｅｓｓｉｎｇ  Ｕｎｉｔ）、汎用プロセッサ、デジタル信号プロセッサ（ＤＳＰ：Ｄｉｇｉｔａｌ  Ｓｉｇｎａｌ  Ｐｒｏｃｅｓｓｏｒ）、特定用途向け集積回路（ＡＳＩＣ：Ａｐｐｌｉｃａｔｉｏｎ−Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）又は他のプログラマブルロジックデバイス、トランジスタロジックデバイス、ハードウェア部材又はその任意の組み合わせであってもよい。それは本発明に開示される内容を参照して説明した各例示的な論理ブロック、モジュール及び回路を実現又は実行することができる。前記プロセッサは更に計算機能を実現する組み合わせ、例えば１つ又は複数のマイクロプロセッサを含む組み合わせ、ＤＳＰとマイクロプロセッサとの組み合わせ等であってもよい。通信ユニット３０３は送受信機、送受信回路等であってもよく、記憶ユニット３０１はメモリであってもよい。
【００４５】
前記処理ユニット３０２は、グラントフリー（ｇｒａｎｔ−ｆｒｅｅ）方式で前記通信ユニット３０３によってアップリンクデータを送信することに用いられ、目標時間窓内において、データ伝送チャネルの構成情報を示すためのスケジューリング情報を検出して、検出結果を生成することに用いられ、前記検出結果に基づいて前記アップリンクデータを再度送信するかどうかを確定することに用いられる。
【００４６】
１つの可能な例では、前記処理ユニット３０２は、更に、前記通信ユニット３０３によって前記目標時間窓の長さ及び／又は前記目標時間窓の開始位置を示すための指示情報を受信することに用いられる。
【００４７】
１つの可能な例では、前記目標時間窓の開始位置は、
前記アップリンクデータの終了位置、前記アップリンクデータの所在時間ユニットの終了位置、前記アップリンクデータの所在時間ユニットの後のＡ番目の時間ユニットの開始位置、前記上記データの後のＢ番目のダウンリンク制御情報伝送ユニットの開始位置のうちのいずれか１つであり、ＡとＢが正の整数である。
【００４８】
１つの可能な例では、前記目標時間窓はＬ個のダウンリンク制御情報伝送ユニットを含み、前記ダウンリンク制御情報伝送ユニットはダウンリンク制御シグナリングを伝送することに用いられ、Ｌが正の整数である。
【００４９】
１つの可能な例では、前記スケジューリング情報はアップリンクデータ伝送をスケジューリングすることに用いられ、又は、
前記スケジューリング情報はアップリンクデータ伝送をスケジューリングすることに用いられ、且つ前記アップリンクデータを伝送するために使用される時間長が目標時間ユニットの長さと同じであり、前記目標時間ユニットは前記端末がｇｒａｎｔ−ｆｒｅｅでアップリンクデータを送信する時間ユニットである。
【００５０】
１つの可能な例では、前記スケジューリング情報はダウンリンクデータ伝送をスケジューリングすることに用いられる。
【００５１】
１つの可能な例では、前記処理ユニット３０２は、具体的に、前記検出結果がスケジューリング情報受信済みであることを確定し、ネットワーク機器が前記アップリンクデータを正しく受信したことを確定することに用いられる。
【００５２】
１つの可能な例では、前記処理ユニット３０２は、具体的に、前記検出結果がスケジューリング情報受信済みであることを確定し、且つ前記スケジューリング情報における情報ドメインの値が約定値である場合、ネットワーク機器が前記アップリンクデータを正しく受信したことを確定することに用いられる。
【００５３】
１つの可能な例では、前記処理ユニット３０２は、具体的に、前記検出結果がスケジューリング情報未受信であることを確定し、ネットワーク機器が前記アップリンクデータを正しく受信していないことを確定し、又は、前記検出結果がスケジューリング情報受信済みであることを確定し、且つ前記スケジューリング情報における情報ドメインの値が約定値に等しくない場合、ネットワーク機器が前記アップリンクデータを正しく受信していないことを確定し、又は、前記検出結果がスケジューリング情報未受信であることを確定し、前記アップリンクデータを再度送信することを確定し、又は、前記検出結果がスケジューリング情報受信済みであることを確定し、且つ前記スケジューリング情報における情報ドメインの値が約定値に等しくない場合、前記アップリンクデータを再度送信することを確定することに用いられる。
【００５４】
１つの可能な例では、前記目標時間窓はＮ個の時間ユニットを含み、前記時間ユニットの長さが目標時間ユニットの長さと同じであり、前記目標時間ユニットは前記端末がグラントフリー（ｇｒａｎｔ−ｆｒｅｅ）方式でアップリンクデータを送信するための時間ユニットであり、Ｎが正の整数であり、又は、
前記目標時間窓はＮ個の時間ユニットを含み、前記時間ユニットの長さがダウンリンクデータ伝送ユニットの長さと同じであり、前記ダウンリンクデータ伝送ユニットはネットワーク機器がダウンリンクデータを送信することに用いられる。
【００５５】
１つの可能な例では、前記構成情報が無効情報であり、前記無効情報は前記端末が前記スケジューリング情報に示されるデータ伝送チャネルがデータ伝送をスケジューリングしていないことを確定することに用いられる。
【００５６】
処理ユニット３０２がプロセッサ、通信ユニット３０３が通信インターフェース、記憶ユニット３０１がメモリである場合、本発明の実施例に関わる端末は図３Ｂに示される端末であってもよい。
【００５７】
図３Ｂに示すように、該端末３１０はプロセッサ３１２、通信インターフェース３１３、メモリ３１１を備える。好ましくは、端末３１０は更にバス３１４を備えてもよい。通信インターフェース３１３、プロセッサ３１２及びメモリ３１１がバス３１４を介して互いに接続されてもよく、バス３１４はペリフェラルコンポーネントインターコネクト（ＰＣＩ：Ｐｅｒｉｐｈｅｒａｌ  Ｃｏｍｐｏｎｅｎｔ  Ｉｎｔｅｒｃｏｎｎｅｃｔ）バス又は拡張業界標準アーキテクチャ（ＥＩＳＡ：Ｅｘｔｅｎｄｅｄ  Ｉｎｄｕｓｔｒｙ  Ｓｔａｎｄａｒｄ  Ａｒｃｈｉｔｅｃｔｕｒｅ）バス等であってもよい。前記バス３１４はアドレスバス、データバス、制御バス等に分けられてもよい。示しやすくするために、図３Ｂでは１本のみの粗線で示されるが、１本のみのバス又は１つのみのタイプのバスを有すると示されるわけではない。
【００５８】
上記図３Ａ又は図３Ｂに示される端末が端末のための装置であると理解されてもよく、本発明の実施例は制限しない。
【００５９】
統合されたユニットを用いる場合、図４Ａには上記実施例に関わるネットワーク機器の可能な構造模式図を示す。ネットワーク機器４００は処理ユニット４０２及び通信ユニット４０３を備える。処理ユニット４０２はネットワーク機器の動作を制御管理することに用いられ、例えば、処理ユニット４０２はネットワーク機器が図２Ａにおけるステップ４０１及び／又は本明細書に説明される技術に用いた他の過程を実行することをサポートすることに用いられる。通信ユニット４０３はネットワーク機器と他の装置との通信、例えば図１に示される端末との通信をサポートすることに用いられる。ネットワーク機器は更にネットワーク機器のプログラムコードとデータを記憶するための記憶ユニット４０１を備えてもよい。
【００６０】
処理ユニット４０２は、前記通信ユニット４０３によって端末がグラントフリー（ｇｒａｎｔ−ｆｒｅｅ）方式で送信したアップリンクデータを正しく受信することに用いられ、目標時間窓内において、前記ネットワーク機器が前記アップリンクデータを正しく受信したことを前記端末に通知するための、データ伝送チャネルの構成情報を示すためのスケジューリング情報を送信することに用いられる。
【００６１】
１つの可能な例では、前記処理ユニット４０２は、更に、前記通信ユニット４０３によって前記目標時間窓の長さ及び／又は前記目標時間窓の開始位置を示すための指示情報を送信することに用いられる。
【００６２】
１つの可能な例では、前記目標時間窓の開始位置は、
前記アップリンクデータの終了位置、前記アップリンクデータの所在時間ユニットの終了位置、前記アップリンクデータの所在時間ユニットの後のＡ番目の時間ユニットの開始位置、前記上記データの後のＢ番目のダウンリンク制御情報伝送ユニットの開始位置のうちのいずれか１つであり、ＡとＢが正の整数である。
【００６３】
１つの可能な例では、前記目標時間窓はＬ個のダウンリンク制御情報伝送ユニットを含み、前記ダウンリンク制御情報伝送ユニットはダウンリンク制御シグナリングを伝送することに用いられ、Ｌが正の整数である。
【００６４】
１つの可能な例では、前記スケジューリング情報はアップリンクデータ伝送をスケジューリングすることに用いられ、又は、
前記スケジューリング情報はアップリンクデータ伝送をスケジューリングすることに用いられ、且つ前記アップリンクデータを伝送するために使用される時間長が目標時間ユニットの長さと同じであり、前記目標時間ユニットは前記端末がｇｒａｎｔ−ｆｒｅｅでアップリンクデータを送信する時間ユニットである。
【００６５】
１つの可能な例では、前記スケジューリング情報はダウンリンクデータ伝送をスケジューリングすることに用いられる。
【００６６】
１つの可能な例では、前記スケジューリング情報における情報ドメインの値が約定値である。
【００６７】
１つの可能な例では、前記目標時間窓はＮ個の時間ユニットを含み、前記時間ユニットの長さが目標時間ユニットの長さと同じであり、前記目標時間ユニットは前記端末がグラントフリー（ｇｒａｎｔ−ｆｒｅｅ）方式でアップリンクデータを送信するための時間ユニットであり、Ｎが正の整数であり、又は、
前記目標時間窓はＮ個の時間ユニットを含み、前記時間ユニットの長さがダウンリンクデータ伝送ユニットの長さと同じであり、前記ダウンリンクデータ伝送ユニットはネットワーク機器がダウンリンクデータを送信することに用いられる。
【００６８】
１つの可能な例では、前記構成情報が無効情報であり、前記無効情報は前記端末が前記スケジューリング情報に示されるデータ伝送チャネルがデータ伝送をスケジューリングしていないことを確定することに用いられる。
【００６９】
処理ユニット４０２がプロセッサ、通信ユニット４０３が通信インターフェース、記憶ユニット４０１がメモリである場合、本発明の実施例に関わるネットワーク機器は図４Ｂに示されるネットワーク機器であってもよい。
【００７０】
図４Ｂに示すように、該ネットワーク機器４１０はプロセッサ４１２、通信インターフェース４１３、メモリ４１１を備える。好ましくは、ネットワーク機器４１０は更にバス４１４を備えてもよい。通信インターフェース４１３、プロセッサ４１２及びメモリ４１１はバス４１４を介して互いに接続されてもよく、バス４１４はペリフェラルコンポーネントインターコネクト（ＰＣＩ：Ｐｅｒｉｐｈｅｒａｌ  Ｃｏｍｐｏｎｅｎｔ  Ｉｎｔｅｒｃｏｎｎｅｃｔ）バス又は拡張業界標準アーキテクチャ（ＥＩＳＡ：Ｅｘｔｅｎｄｅｄ  Ｉｎｄｕｓｔｒｙ  Ｓｔａｎｄａｒｄ  Ａｒｃｈｉｔｅｃｔｕｒｅ）バス等であってもよい。前記バス４１４はアドレスバス、データバス、制御バス等に分けられてもよい。示しやすくするために、図４Ｂでは１本のみの粗線で示されるが、１本のみのバス又は１つのみのタイプのバスを有すると示されるわけではない。
【００７１】
上記図４Ａ又は図４Ｂに示されるネットワーク機器がネットワーク機器のための装置であると理解されてもよく、本発明の実施例は制限しない。
【００７２】
本発明の実施例は更に他の端末を提供し、図５に示すように、説明しやすくするために、本発明の実施例に関連する部分のみを示すが、未図示の具体的な技術的な詳細は本発明の実施例の方法部分を参照してもよい。該端末は携帯電話、タブレットＰＣ、ＰＤＡ（Ｐｅｒｓｏｎａｌ  Ｄｉｇｉｔａｌ  Ａｓｓｉｓｔａｎｔ、パーソナルデジタルアシスタント）、ＰＯＳ（Ｐｏｉｎｔ  ｏｆ  Ｓａｌｅｓ、販売端末）、車載コンピュータ等の任意の端末装置であってもよく、端末が携帯電話である場合を例として、
図５には本発明の実施例に係る端末に関連する携帯電話の部分構造のブロック図を示す。図５に示すように、携帯電話は無線周波数（ＲＦ：Ｒａｄｉｏ  Ｆｒｅｑｕｅｎｃｙ）回路５１０、メモリ５２０、入力ユニット５３０、表示ユニット５４０、センサ５５０、オーディオ回路５６０、ワイヤレスフィデリティ（ＷｉＦｉ：Ｗｉｒｅｌｅｓｓ  Ｆｉｄｅｌｉｔｙ）モジュール５７０、プロセッサ５８０及び電源５９０等の部材を備える。当業者であれば、図５に示される携帯電話の構造が携帯電話を制限するためのものではなく、図示より多く又は少ない部材を備えてもよく、又はいくつかの部材、又は様々な部材を組み合わせて配置してもよいと理解される。
【００７３】
以下、図５を参照しながら携帯電話の各構成部材を具体的に説明する。
【００７４】
ＲＦ回路５１０は情報の受信及び送信に用いられてもよい。一般的に、ＲＦ回路５１０はアンテナ、少なくとも１つの増幅器、送受信機、結合器、低雑音増幅器（ＬＮＡ：Ｌｏｗ  Ｎｏｉｓｅ  Ａｍｐｌｉｆｉｅｒ）、デュプレクサ等を含むが、それらに限らない。また、ＲＦ回路５１０は更に無線通信によってネットワーク及び他の装置と通信することができる。上記無線通信はいずれかの通信規格又はプロトコルを用いてもよく、それはモバイル通信用グローバルシステム（ＧＳＭ：Ｇｌｏｂａｌ  Ｓｙｓｔｅｍ  ｏｆ  Ｍｏｂｉｌｅ  ｃｏｍｍｕｎｉｃａｔｉｏｎ）、汎用パケット無線サービス（ＧＰＲＳ：Ｇｅｎｅｒａｌ  Ｐａｃｋｅｔ  Ｒａｄｉｏ  Ｓｅｒｖｉｃｅ）、符号分割多元接続（ＣＤＭＡ：Ｃｏｄｅ  Ｄｉｖｉｓｉｏｎ  Ｍｕｌｔｉｐｌｅ  Ａｃｃｅｓｓ）、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）、ロングタームエボリューション（ＬＴＥ：Ｌｏｎｇ  Ｔｅｒｍ  Ｅｖｏｌｕｔｉｏｎ）、電子メール、ショートメッセージサービス（ＳＭＳ：Ｓｈｏｒｔ  Ｍｅｓｓａｇｉｎｇ  Ｓｅｒｖｉｃｅ）等を含むが、それらに限らない。
【００７５】
メモリ５２０はソフトウェアプログラム及びモジュールを記憶することに用いられてもよく、プロセッサ５８０はメモリ５２０に記憶されるソフトウェアプログラム及びモジュールを実行することにより、携帯電話の様々な機能アプリケーション及びデータ処理を実行する。メモリ５２０は主に記憶プログラム領域及び記憶データ領域を含んでもよく、記憶プログラム領域にはオペレーティングシステム、少なくとも１つの機能に必要なアプリケーションプログラム等が記憶されてもよく、記憶データ領域には携帯電話の使用に応じて作成されたデータ等が記憶されてもよい。また、メモリ５２０は高速ランダムアクセスメモリを含んでもよく、更に不揮発性メモリ、例えば少なくとも１つの磁気ディスク記憶デバイス、フラッシュメモリデバイス、又は他の揮発性固体記憶デバイスを含んでもよい。
【００７６】
入力ユニット５３０は入力された数字又は文字情報を受信して、携帯電話のユーザー設定及び機能制御に関連するキー信号入力を生成することに用いられてもよい。具体的に、入力ユニット５３０は指紋認識モジュール５３１及び他の入力装置５３２を備えてもよい。指紋認識モジュール５３１はユーザーのその上の指紋データを収集することができる。指紋認識モジュール５３１を除き、入力ユニット５３０は更に他の入力装置５３２を備えてもよい。具体的に、他の入力装置５３２はタッチパネル、物理キーボード、機能キー（例えば、音量調節キー、切り替えキー等）、トラックボール、マウス、操作レバー等のうちの１つ又は複数を含んでもよいが、それらに限らない。
【００７７】
表示ユニット５４０はユーザーの入力した情報又はユーザーに提供した情報及び携帯電話の様々なメニューを表示することに用いられてもよい。表示ユニット５４０はディスプレイ５４１を備えてもよく、好ましくは、液晶ディスプレイ（ＬＣＤ：Ｌｉｑｕｉｄ  Ｃｒｙｓｔａｌ  Ｄｉｓｐｌａｙ）、有機発光ダイオード（ＯＬＥＤ：Ｏｒｇａｎｉｃ  Ｌｉｇｈｔ−Ｅｍｉｔｔｉｎｇ  Ｄｉｏｄｅ）等の形式でディスプレイ５４１を構成してもよい。図５では、指紋認識モジュール５３１とディスプレイ５４１が２つの独立した部材として携帯電話の入力及び入力機能を実現するが、いくつかの実施例では、指紋認識モジュール５３１とディスプレイ５４１を統合して携帯電話の入力及び再生機能を実現してもよい。
【００７８】
携帯電話は更に少なくとも１つのセンサ５５０、例えば光センサ、運動センサ及び他のセンサを含んでもよい。具体的に、光センサは環境光センサ及び接近センサを含んでもよく、環境光センサは環境光の輝度に基づいてディスプレイ５４１の輝度を調整することができ、接近センサは携帯電話を耳元に移動するとき、ディスプレイ５４１及び／又はバックライトを閉じることができる。運動センサの１つとして、加速度センサは各方向（一般的に、３軸）における加速度の大きさを検出することができ、静止時に重力の大きさ及び方向を検出することができ、携帯電話の姿勢を認識するアプリケーション（例えば、横画面と縦画面の切り替え、関連ゲーム、磁力計の姿勢校正）、振動認識関連機能（例えば、万歩計、ハンマリング）等に用いられてもよく、携帯電話に更に構成可能なジャイロスコープ、バロメーター、湿度計、温度計、赤外線センサ等の他のセンサについては、詳細な説明は省略する。
【００７９】
オーディオ回路５６０、スピーカー５６１、マイクロフォン５６２はユーザーと携帯電話との間のオーディオインターフェースを提供することができる。オーディオ回路５６０は受信されたオーディオデータ変換後の電気信号をスピーカー５６１に伝送して、スピーカー５６１によって音声信号に変換して再生することができる一方、マイクロフォン５６２は収集された音声信号を電気信号に変換して、オーディオ回路５６０によって受信してからオーディオデータに変換し、更にオーディオデータを再生してプロセッサ５８０によって処理した後、ＲＦ回路５１０によって例えば他の携帯電話に送信し、又はオーディオデータをメモリ５２０に再生して更なる処理を行う。
【００８０】
ＷｉＦｉは短距離無線伝送技術に属し、携帯電話はＷｉＦｉモジュール５７０によってユーザーの電子メールの送受信、ウェブページのブラウジング及びストリーミングメディアのアクセス等に役立ち、ユーザーに無線のブロードバンドインターネットアクセスを提供する。図５にＷｉＦｉモジュール５７０を示すが、ＷｉＦｉモジュール５７０が携帯電話の必須構成に属さず、発明の本質を変えない範囲内に必要に応じて省略してもよいと理解される。
【００８１】
プロセッサ５８０は携帯電話の制御センターであり、様々なインターフェース及び回路を利用して携帯電話全体の各部分を接続し、メモリ５２０に記憶されるソフトウェアプログラム及び／又はモジュールを動作又は実行し、メモリ５２０に記憶されるデータを呼び出して、携帯電話の様々な機能と処理データを実行し、それにより携帯電話全体を監視する。好ましくは、プロセッサ５８０は１つ又は複数の処理ユニットを備えてもよく、好ましくは、プロセッサ５８０はアプリケーションプロセッサとモデムプロセッサを統合することができ、アプリケーションプロセッサは主にオペレーティングシステム、ユーザーインターフェース及びアプリケーションプログラム等を処理し、モデムプロセッサは主に無線通信を処理する。上記モデムプロセッサがプロセッサ５８０に統合されなくてもよいと理解される。
【００８２】
携帯電話は更に各部材に給電する電源５９０（例えば、電池）を備え、好ましくは、電源は電源管理システムによってプロセッサ５８０に論理接続されてもよく、それにより電源管理システムによって管理充電、放電及び消費電力管理等の機能を実現する。
【００８３】
図示しないが、携帯電話は更にカメラ、ブルートゥースモジュール等を備えてもよく、ここで詳細な説明は省略する。
【００８４】
上記図２Ａに示される実施例では、各ステップ方法における端末側のプロセスは該携帯電話の構造によって実現されてもよい。
【００８５】
上記図３Ａ〜図３Ｂに示される実施例では、各ユニット機能が該携帯電話の構造によって実現されてもよい。
【００８６】
本発明の実施例は更にコンピュータ記憶媒体を提供し、該コンピュータ記憶媒体にプログラムが記憶されてもよく、該プログラムは実行時に上記方法実施例に記載のいずれか１つのデータ伝送方法の一部又は全部のステップを含む。
【００８７】
本発明の実施例に説明される方法又はアルゴリズムのステップはハードウェアの方式で実現されてもよいし、プロセッサがソフトウェア命令を実行することで実現されてもよい。ソフトウェア命令は対応するソフトウェアモジュールで構成されてもよく、ソフトウェアモジュールはランダムアクセスメモリ（ＲＡＭ：Ｒａｎｄｏｍ  Ａｃｃｅｓｓ  Ｍｅｍｏｒｙ）、フラッシュメモリ、読み出し専用メモリ（ＲＯＭ：Ｒｅａｄ  Ｏｎｌｙ  Ｍｅｍｏｒｙ）、消去可能プログラム可能読み出し専用メモリ（ＥＰＲＯＭ：Ｅｒａｓａｂｌｅ  Ｐｒｏｇｒａｍｍａｂｌｅ  ＲＯＭ）、電気的消去可能プログラム可能読み出し専用メモリ（ＥＥＰＲＯＭ：Ｅｌｅｃｔｒｉｃａｌｌｙ  ＥＰＲＯＭ）、レジスタ、ハードディスク、ポータブルハードディスク、読み出し専用光ディスク（ＣＤ−ＲＯＭ）又は本分野でよく知られる任意の他の形式の記憶媒体に記憶されてもよい。例示的な記憶媒体がプロセッサに結合され、それによりプロセッサは該記憶媒体から情報を読み取って、該記憶媒体に情報を書き込むことができる。当然ながら、記憶媒体は更にプロセッサの構成部分であってもよい。プロセッサ及び記憶媒体がＡＳＩＣに位置してもよい。また、該ＡＳＩＣがゲートウェイデバイス又はモビリティ管理ネットワーク要素に位置してもよい。当然ながら、プロセッサ及び記憶媒体が個別コンポーネントとしてゲートウェイデバイス又はモビリティ管理ネットワーク要素に位置してもよい。
【００８８】
当業者であれば、上記１つ又は複数の例では、本発明の実施例に説明される機能はハードウェア、ソフトウェア、ファームウェア又はそれらの任意の組み合わせで実現されてもよいと理解すべきである。ソフトウェアで実現される場合、これらの機能をコンピュータ可読媒体に記憶し又はコンピュータ可読媒体における１つ又は複数の命令又はコードとして伝送してもよい。コンピュータ可読媒体はコンピュータ記憶媒体及び通信媒体を含み、通信媒体は一箇所から他の箇所へコンピュータプログラムを容易に伝送できる任意の媒体を含む。記憶媒体は汎用又は専用コンピュータがアクセスできる任意の利用可能媒体であってもよい。
【００８９】
以上に説明される具体的な実施形態は、本発明の実施例の目的、技術案及び有益な効果を更に詳しく説明したが、以上の説明は本発明の実施例の具体的な実施形態に過ぎず、本発明の実施例の保護範囲を制限するためのものではなく、本発明の実施例の技術案に基づき行ったいかなる修正、等価置換、改良等は、いずれも本発明の実施例の保護範囲内に含まれるべきであると理解すべきである。
【図１】
2020505803.tif 000003
【図２Ａ】
2020505803.tif 000004
【図２Ｂ】
2020505803.tif 000005
【図２Ｃ】
2020505803.tif 000006
【図２Ｄ】
2020505803.tif 000007
【図２Ｅ】
2020505803.tif 000008
【図２Ｆ】
2020505803.tif 000009
【図２Ｇ】
2020505803.tif 000010
【図２Ｈ】
2020505803.tif 000011
【図３Ａ】
2020505803.tif 000012
【図３Ｂ】
2020505803.tif 000013
【図４Ａ】
2020505803.tif 000014
【図４Ｂ】
2020505803.tif 000015
【図５】
2020505803.tif 000016
【手続補正書】
【提出日】令和1年12月16日(2019.12.16)
【手続補正１】
【補正対象書類名】明細書
【補正対象項目名】全文
【補正方法】変更
【補正の内容】
【発明の詳細な説明】
【技術分野】
【０００１】
本発明は通信技術分野に関し、特にデータ伝送方法及び装置に関する。
【背景技術】
【０００２】
現在、第４世代（４Ｇ：４ｔｈ  Ｇｅｎｅｒａｔｉｏｎ）移動体通信ネットワーク、例えばロングタームエボリューション（ＬＴＥ：Ｌｏｎｇ  Ｔｅｒｍ  Ｅｖｏｌｕｔｉｏｎ）ネットワークは既に広範囲のカバレッジを実現した。４Ｇネットワークはその通信速度が速く、ネットワークスペクトルが広く、柔軟に通信できるという特徴を有する。しかしながら、モノのインターネット、クルマのインターネット等のネットワークニーズの出現により、ユーザーの次世代の移動体通信ネットワーク、すなわち第５世代（５Ｇ：５ｔｈ  Ｇｅｎｅｒａｔｉｏｎ）移動体通信ネットワークに対する要求がますます多くなり、例えば連続した広範囲なカバレッジ１００メガバイト／秒（Ｍｂｐｓ）のユーザー体験速度、ホットスポット１ギガバイト／秒（Ｇｂｐｓ）のユーザー体験速度、１ミリ秒（ｍｓ）以内のエアインタフェース遅延、１００ｍｓ以内のエンドツーエンド遅延、信頼性保障等に対する要求が求められている。
【０００３】
従来の５Ｇ（ＮＲ：ｎｅｗ  ｒａｄｉｏ）システムはグラントフリーアップリンク伝送（「ｇｒａｎｔ−ｆｒｅｅ」ＵＬ  ｔｒａｎｓｍｉｓｓｉｏｎ）をサポートしており、つまり、端末は伝送すべきデータがあるとき、基地局のスケジューリングを待たずにデータを自動送信することができる。このような伝送方式はシステム内の制御シグナリングオーバーヘッドの低減、エンドツーエンド遅延の短縮、端末の消費電力の低減に役立ち、従って、特に低周波数の小さなパケットサービス、低遅延要件サービス等に適用される。このような伝送方式には、端末は基地局が該端末から送信されたアップリンクデータを正しく受信したかどうかをどのように確定するかの問題がある。
【発明の概要】
【発明が解決しようとする課題】
【０００４】
端末がｇｒａｎｔ−ｆｒｅｅデータを送信した後、再伝送する必要があるかどうかを確定する方法を提供するために、本発明の実施例はデータ伝送方法及び装置を提供する。
【課題を解決するための手段】
【０００５】
第１態様では、本発明の実施例はデータ伝送方法を提供し、
端末がグラントフリー（ｇｒａｎｔ−ｆｒｅｅ）方式でアップリンクデータを送信することと、
前記端末が目標時間窓内において、おいて、データ伝送チャネルの構成情報を示すためのスケジューリング情報を検出して、検出結果を生成することと、
前記端末が前記検出結果に基づいて前記アップリンクデータを再度送信するかどうかを確定することと、を含む。
【０００６】
第２態様では、本発明の実施例はデータ伝送方法を提供し、
ネットワーク機器は端末がグラントフリー（ｇｒａｎｔ−ｆｒｅｅ）方式で送信したアップリンクデータを正しく受信することと、
前記ネットワーク機器は目標時間窓内において、おいて、前記ネットワーク機器が前記アップリンクデータを正しく受信したことを前記端末に通知するための、データ伝送チャネルの構成情報を示すためのスケジューリング情報を送信することと、を含む。
【０００７】
第３態様では、本発明の実施例は端末を提供し、該端末は上記方法設計における端末の挙動を実現する機能を有する。前記機能はハードウェアにより実現されてもよいし、ハードウェアが対応するソフトウェアを実行することで実現されてもよい。前記ハードウェア又はソフトウェアは上記機能に対応する１つ又は複数のモジュールを備える。
【０００８】
１つの可能な設計では、端末はプロセッサを備え、前記プロセッサは端末が上記方法における対応する機能を実行することをサポートするように構成される。更に、端末は更に送受信機を備えてもよく、前記送受信機は端末とネットワーク機器との通信をサポートすることに用いられる。更に、端末は更にメモリを備えてもよく、前記メモリはプロセッサに結合されることに用いられ、且つ端末に必要なプログラム命令とデータを保存する。
【０００９】
第４態様では、本発明の実施例はネットワーク機器を提供し、該ネットワーク機器は上記方法設計におけるネットワーク機器の挙動を実現する機能を有する。前記機能はハードウェアにより実現されてもよいし、ハードウェアが対応するソフトウェアを実行することで実現されてもよい。前記ハードウェア又はソフトウェアは上記機能に対応する１つ又は複数のモジュールを備える。
【００１０】
１つの可能な設計では、ネットワーク機器はプロセッサを備え、前記プロセッサはネットワーク機器が上記方法における対応する機能を実行することをサポートするように構成される。更に、ネットワーク機器は更に送受信機を備えてもよく、前記送受信機はネットワーク機器と端末との通信をサポートすることに用いられる。更に、ネットワーク機器は更にメモリを備えてもよく、前記メモリはプロセッサに結合されることに用いられ、且つネットワーク機器に必要なプログラム命令とデータを保存する。
【発明の効果】
【００１１】
以上から、本発明の実施例では、端末は端末とネットワーク機器とがデータ伝送準備を行う待機遅延を短縮し、グラントフリー方式でアップリンクデータをリアルタイムに伝送して、アップリンクデータを再度送信する必要があるかどうかを正確に確定することができ、データ伝送遅延の短縮、データ伝送効率、精度及び安定性の向上に役立つ。
【図面の簡単な説明】
【００１２】
【図１】図１は本発明の実施例に係る可能な通信システムのネットワークアーキテクチャの図である。
【図２Ａ】図２Ａは本発明の実施例に係るデータ伝送方法のフローチャートである。
【図２Ｂ】図２Ｂは本発明の実施例に係る目標時間窓の開始位置の例示図である。
【図２Ｃ】図２Ｃは本発明の実施例に係るネットワーク機器が目標時間窓内において、おいて、アップリンクデータを送信する例示図である。
【図２Ｄ】図２Ｄは本発明の実施例に係る他のネットワーク機器が目標時間窓内において、おいて、アップリンクデータを送信する例示図である。
【図２Ｅ】図２Ｅは本発明の実施例に係る他のネットワーク機器が目標時間窓内において、おいて、アップリンクデータを送信する例示図である。
【図２Ｆ】図２Ｆは本発明の実施例に係るネットワーク機器がアップリンクデータを正しく受信すると確定する模式図である。
【図２Ｇ】図２Ｇは本発明の実施例に係るネットワーク機器がアップリンクデータを正しく受信すると確定する他の模式図である。
【図２Ｈ】図２Ｈは本発明の実施例に係る端末がアップリンクデータを再度送信することを確定する模式図である。
【図３Ａ】図３Ａは本発明の実施例に係る端末の機能ユニットの構成ブロック図である。
【図３Ｂ】図３Ｂは本発明の実施例に係る端末の構造模式図である。
【図４Ａ】図４Ａは本発明の実施例に係るネットワーク機器の機能ユニットの構成ブロック図である。
【図４Ｂ】図４Ｂは本発明の実施例に係るネットワーク機器の構造模式図である。
【図５】図５は本発明の実施例に係る端末の構造模式図である。
【発明を実施するための形態】
【００１３】
以下、実施例又は従来技術の記述において必要な図面を用いて簡単に説明を行う。
【００１４】
以下、図面を参照しながら本発明の実施例の技術案を説明する。
【００１５】
図１に示すように、図１は本発明の実施例に係る可能なネットワークアーキテクチャである。該ネットワークアーキテクチャはネットワーク機器及び端末を備え、端末がネットワーク機器の提供する移動体通信ネットワークにアクセスされるとき、端末とネットワーク機器とが無線リンクを介して通信接続されてもよい。該ネットワーク機器は例えば５Ｇネットワーク、又は５Ｇ及び４Ｇ（４ｔｈ  Ｇｅｎｅｒａｔｉｏｎ、第４世代）ハイブリッドネットワーキングシステムにおける基地局であってもよい。本発明の実施例では、用語「ネットワーク」及び「システム」が常に交互に使用されているが、当業者がその意味を理解できる。本発明の実施例に関わる端末は無線通信機能を有する様々な携帯端末、車載装置、ウェアラブル端末、計算装置又は無線モデムに接続される他の処理装置、及び様々なタイプのユーザー装置（ＵＥ：Ｕｓｅｒ  Ｅｑｕｉｐｍｅｎｔ）、移動局（ＭＳ：Ｍｏｂｉｌｅ  Ｓｔａｔｉｏｎ）、端末装置（ｔｅｒｍｉｎａｌ  ｄｅｖｉｃｅ）等を含んでもよい。説明しやすくするために、以上に言及された装置は端末と総称される。
【００１６】
図２Ａに示すように、図２Ａには本発明の実施例に係るデータ伝送方法を示し、ネットワーク機器及び端末を備える移動体通信ネットワークに適用され、前記ネットワーク機器が前記端末に通信接続され、端末の観点から該方法を説明すれば、該方法は２０１〜２０３を含み、具体的には、
２０１において、端末がグラントフリー（ｇｒａｎｔ−ｆｒｅｅ）方式でアップリンクデータを送信する。
【００１７】
２０２において、ネットワーク機器は端末がグラントフリー（ｇｒａｎｔ−ｆｒｅｅ）方式で送信したアップリンクデータを正しく受信する。
【００１８】
２０３において、前記ネットワーク機器は目標時間窓内において、おいて、前記ネットワーク機器が前記アップリンクデータを正しく受信したことを前記端末に通知するための、データ伝送チャネルの構成情報を示すためのスケジューリング情報を送信する。
【００１９】
２０４において、前記端末が目標時間窓内において、データ伝送チャネルの構成情報を示すためのスケジューリング情報を検出して、検出結果を生成する。
【００２０】
２０５において、前記端末が前記検出結果に基づいて前記アップリンクデータを再度送信するかどうかを確定する。
【００２１】
以上から、本発明の実施例では、端末は端末とネットワーク機器とがデータ伝送準備を行う待機遅延を短縮し、グラントフリー方式でアップリンクデータをリアルタイムに伝送して、アップリンクデータを再度送信する必要があるかどうかを正確に確定することができ、データ伝送遅延の短縮、データ伝送効率、精度及び安定性の向上に役立つ。
【００２２】
１つの可能な例では、前記方法は、更に、
前記ネットワーク機器が前記目標時間窓の長さ及び／又は前記目標時間窓の開始位置を示すための指示情報を送信することを含む。
【００２３】
本可能な例では、前記方法は、更に、
前記端末が前記目標時間窓の長さ及び／又は前記目標時間窓の開始位置を示すための指示情報を受信することを含む。
【００２４】
１つの可能な例では、前記目標時間窓の開始位置は、
前記アップリンクデータの終了位置、前記アップリンクデータの所在時間ユニットの終了位置、前記アップリンクデータの所在時間ユニットの後のＡ番目の時間ユニットの開始位置、前記アップリンクデータの所在時間ユニットの後のＢ番目のダウンリンク制御情報伝送ユニットの開始位置のうちのいずれか１つであり、ＡとＢが正の整数である。
【００２５】
例えば、図２Ｂに示すように、ネットワーク機器は端末がスロットｎ内にグラントフリー（ｇｒａｎｔ−ｆｒｅｅ）方式で送信したアップリンクデータを正しく受信し、スロット（ｎ＋１）がスロットｎ後のダウンリンク制御シグナリングを伝送可能なスロットであると仮定する場合、ネットワーク機器はスロット（ｎ＋１）内にスケジューリング情報を送信することができる。
【００２６】
１つの可能な例では、前記目標時間窓はＬ個のダウンリンク制御情報伝送ユニットを含み、前記ダウンリンク制御情報伝送ユニットはダウンリンク制御シグナリングを伝送することに用いられ、Ｌが正の整数である。
【００２７】
例えば、図２Ｃに示すように、目標時間窓は４つのダウンリンク制御情報伝送ユニットを備え、ネットワーク機器は端末がスロットｎ内にグラントフリー（ｇｒａｎｔ−ｆｒｅｅ）方式で送信したアップリンクデータを正しく受信すると仮定する場合、ネットワーク機器は図示の４つのダウンリンク制御情報伝送ユニットのうちのいずれか１つのダウンリンク制御情報伝送ユニットにおいてスケジューリング情報を送信することができる。
【００２８】
１つの可能な例では、前記目標時間窓はＮ個の時間ユニットを含み、前記時間ユニットの長さが目標時間ユニットの長さと同じであり、前記目標時間ユニットは前記端末がグラントフリー（ｇｒａｎｔ−ｆｒｅｅ）方式でアップリンクデータを送信するための時間ユニットであり、Ｎが正の整数であり、
例えば、図２Ｄに示すように、目標時間窓は４つの時間ユニットを備え、目標時間ユニットの長さが１つのスロットであり、ネットワーク機器は端末がスロットｎ内にグラントフリー（ｇｒａｎｔ−ｆｒｅｅ）方式で送信したアップリンクデータを正しく受信すると仮定する場合、ネットワーク機器はスロットｎ＋１、スロットｎ＋２、スロットｎ＋３、スロットｎ＋４からなる目標時間窓内において、スケジューリング情報を送信することができる。
【００２９】
１つの可能な例では、前記目標時間窓はＮ個の時間ユニットを含み、前記時間ユニットの長さがダウンリンクデータ伝送ユニットの長さと同じであり、前記ダウンリンクデータ伝送ユニットはネットワーク機器がダウンリンクデータを送信することに用いられる。
【００３０】
例えば、図２Ｅに示すように、目標時間窓は４つの時間ユニットを備え、ダウンリンクデータ伝送ユニットの長さが１つのミニｍｉｎｉスロットであり、ネットワーク機器は端末がスロットｎ内にグラントフリー（ｇｒａｎｔ−ｆｒｅｅ）方式で送信したアップリンクデータを正しく受信すると仮定する場合、ネットワーク機器は目標時間ユニットの後の４つのミニスロットからなる目標時間窓内において、スケジューリング情報を送信することができる。
【００３１】
１つの可能な例では、前記スケジューリング情報はアップリンクデータ伝送をスケジューリングすることに用いられ、又は、
前記スケジューリング情報はアップリンクデータ伝送をスケジューリングすることに用いられ、且つ前記アップリンクデータを伝送するために使用される時間長が目標時間ユニットの長さと同じであり、前記目標時間ユニットは前記端末がｇｒａｎｔ−ｆｒｅｅでアップリンクデータを送信する時間ユニットである。
【００３２】
１つの可能な例では、前記スケジューリング情報はダウンリンクデータ伝送をスケジューリングすることに用いられる。
【００３３】
１つの可能な例では、前記端末が前記検出結果に基づいて前記アップリンクデータを再度送信するかどうかを確定することは、前記端末が、前記検出結果がスケジューリング情報受信済みであることを確定し、ネットワーク機器が前記アップリンクデータを正しく受信したことを確定することを含む。
【００３４】
具体的に実現するとき、図２Ｆに示すように、前記端末が、前記検出結果がスケジューリング情報受信済みであることを確定し、ネットワーク機器が前記アップリンクデータを正しく受信したことを確定することは、
前記端末が、前記検出結果がスケジューリング情報受信済みであることを確定し、且つ前記スケジューリング情報がアップリンクデータ伝送をスケジューリングすることに用いられ、ネットワーク機器が前記アップリンクデータを正しく受信したことを確定することを含む。
【００３５】
具体的に実現するとき、図２Ｇに示すように、前記端末が、前記検出結果がスケジューリング情報受信済みであることを確定し、ネットワーク機器が前記アップリンクデータを正しく受信したことを確定することは、
前記端末が、前記検出結果がスケジューリング情報受信済みであることを確定し、且つ前記スケジューリング情報がダウンリンクデータ伝送をスケジューリングすることに用いられ、ネットワーク機器が前記アップリンクデータを正しく受信したことを確定することを含む。
【００３６】
１つの可能な例では、前記端末が前記検出結果に基づいて前記アップリンクデータを再度送信するかどうかを確定することは、
前記端末が、前記検出結果がスケジューリング情報受信済みであることを確定し、且つ前記スケジューリング情報における情報ドメインの値が約定値である場合、ネットワーク機器が前記アップリンクデータを正しく受信したことを確定することを含む。
【００３７】
例えば、前記情報ドメインの値が１であるとき、ネットワーク機器が前記アップリンクデータを正しく受信したことを示す。
【００３８】
１つの可能な例では、前記端末が前記検出結果に基づいて前記アップリンクデータを再度送信するかどうかを確定することは、
前記端末が、前記検出結果がスケジューリング情報未受信であることを確定し、ネットワーク機器が前記アップリンクデータを正しく受信していないことを確定し、又は、前記端末が、前記検出結果がスケジューリング情報受信済みであることを確定し、且つ前記スケジューリング情報における情報ドメインの値が約定値に等しくない場合、ネットワーク機器が前記アップリンクデータを正しく受信していないことを確定し、又は、
図２Ｈに示すように、前記端末が、前記検出結果がスケジューリング情報未受信であることを確定し、前記アップリンクデータを再度送信することを確定し、又は、前記端末が、前記検出結果がスケジューリング情報受信済みであることを確定し、且つ前記スケジューリング情報における情報ドメインの値が約定値に等しくない場合、前記アップリンクデータを再度送信することを確定することを含む。
【００３９】
１つの可能な例では、前記構成情報が無効情報であり、前記無効情報は前記端末が前記スケジューリング情報に示されるデータ伝送チャネルがデータ伝送をスケジューリングしていないことを確定することに用いられる。
【００４０】
前記スケジューリング情報における特定情報ドメインの値が約定値である場合、前記スケジューリング情報の示す構成情報が無効情報である。
【００４１】
以上は主に各ネットワーク要素同士が対話する観点から本発明の実施例案を説明した。上記機能を実現するために、端末とネットワーク機器には各機能を実行するために対応するハードウェア構造及び／又はソフトウェアモジュールが含まれると理解される。当業者であれば、本発明において本明細書に開示される実施例を参照して説明した各例示的なユニット及びアルゴリズムステップはハードウェア又はハードウェアとコンピュータソフトウェアとの組み合わせで実現されてもよいと容易に理解される。ある機能をハードウェア又はコンピュータソフトウェアでハードウェアを駆動することで実行するかは、技術案の特定応用及び設計制約条件によって確定される。当業者は各特定応用に対して異なる方法で説明される機能を実現することができるが、このような実現は本発明の範囲を超えると見なされるべきではない。
【００４２】
本発明の実施例では、上記方法例に基づいて端末とネットワーク機器に対して機能ユニットの区別を行ってもよく、例えば、各機能に対応して各機能ユニットを区別してもよいし、２つ又は２つ以上の機能を１つの処理ユニットに統合してもよい。上記統合されたユニットはハードウェアの形式で実現されてもよいし、ソフトウェア機能ユニットの形式で実現されてもよい。ただし、本発明の実施例では、ユニットの区別は模式的なものであって、論理機能上の区別に過ぎず、実際に実現するとき、他の区別方式を用いてもよい。
【００４３】
統合されたユニットを用いる場合、図３Ａには上記実施例に関わる第１コアネットワーク装置の可能な構造模式図を示す。端末３００は処理ユニット３０２及び通信ユニット３０３を備える。処理ユニット３０２は端末の動作を制御管理することに用いられ、例えば、処理ユニット３０２は端末が図２Ａにおけるステップ２０１、２０４、２０５及び／又は本明細書に説明される技術に用いた他の過程を実行することをサポートすることに用いられる。通信ユニット３０３は端末と他の装置の通信、例えば図１に示されるネットワーク機器との通信をサポートすることに用いられる。端末は更に端末のプログラムコードとデータを記憶するための記憶ユニット３０１を備えてもよい。
【００４４】
処理ユニット３０２はプロセッサ又はコントローラであってもよく、例えば中央処理装置（ＣＰＵ：Ｃｅｎｔｒａｌ  Ｐｒｏｃｅｓｓｉｎｇ  Ｕｎｉｔ）、汎用プロセッサ、デジタル信号プロセッサ（ＤＳＰ：Ｄｉｇｉｔａｌ  Ｓｉｇｎａｌ  Ｐｒｏｃｅｓｓｏｒ）、特定用途向け集積回路（ＡＳＩＣ：Ａｐｐｌｉｃａｔｉｏｎ−Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）又は他のプログラマブルロジックデバイス、トランジスタロジックデバイス、ハードウェア部材又はその任意の組み合わせであってもよい。それは本発明に開示される内容を参照して説明した各例示的な論理ブロック、モジュール及び回路を実現又は実行することができる。前記プロセッサは更に計算機能を実現する組み合わせ、例えば１つ又は複数のマイクロプロセッサを含む組み合わせ、ＤＳＰとマイクロプロセッサとの組み合わせ等であってもよい。通信ユニット３０３は送受信機、送受信回路等であってもよく、記憶ユニット３０１はメモリであってもよい。
【００４５】
前記処理ユニット３０２は、グラントフリー（ｇｒａｎｔ−ｆｒｅｅ）方式で前記通信ユニット３０３によってアップリンクデータを送信することに用いられ、目標時間窓内において、データ伝送チャネルの構成情報を示すためのスケジューリング情報を検出して、検出結果を生成することに用いられ、前記検出結果に基づいて前記アップリンクデータを再度送信するかどうかを確定することに用いられる。
【００４６】
１つの可能な例では、前記処理ユニット３０２は、更に、前記通信ユニット３０３によって前記目標時間窓の長さ及び／又は前記目標時間窓の開始位置を示すための指示情報を受信することに用いられる。
【００４７】
１つの可能な例では、前記目標時間窓の開始位置は、
前記アップリンクデータの終了位置、前記アップリンクデータの所在時間ユニットの終了位置、前記アップリンクデータの所在時間ユニットの後のＡ番目の時間ユニットの開始位置、前記アップリンクデータの所在時間ユニットの後のＢ番目のダウンリンク制御情報伝送ユニットの開始位置のうちのいずれか１つであり、ＡとＢが正の整数である。
【００４８】
１つの可能な例では、前記目標時間窓はＬ個のダウンリンク制御情報伝送ユニットを含み、前記ダウンリンク制御情報伝送ユニットはダウンリンク制御シグナリングを伝送することに用いられ、Ｌが正の整数である。
【００４９】
１つの可能な例では、前記スケジューリング情報はアップリンクデータ伝送をスケジューリングすることに用いられ、又は、
前記スケジューリング情報はアップリンクデータ伝送をスケジューリングすることに用いられ、且つ前記アップリンクデータを伝送するために使用される時間長が目標時間ユニットの長さと同じであり、前記目標時間ユニットは前記端末がｇｒａｎｔ−ｆｒｅｅでアップリンクデータを送信する時間ユニットである。
【００５０】
１つの可能な例では、前記スケジューリング情報はダウンリンクデータ伝送をスケジューリングすることに用いられる。
【００５１】
１つの可能な例では、前記処理ユニット３０２は、具体的に、前記検出結果がスケジューリング情報受信済みであることを確定し、ネットワーク機器が前記アップリンクデータを正しく受信したことを確定することに用いられる。
【００５２】
１つの可能な例では、前記処理ユニット３０２は、具体的に、前記検出結果がスケジューリング情報受信済みであることを確定し、且つ前記スケジューリング情報における情報ドメインの値が約定値である場合、ネットワーク機器が前記アップリンクデータを正しく受信したことを確定することに用いられる。
【００５３】
１つの可能な例では、前記処理ユニット３０２は、具体的に、前記検出結果がスケジューリング情報未受信であることを確定し、ネットワーク機器が前記アップリンクデータを正しく受信していないことを確定し、又は、前記検出結果がスケジューリング情報受信済みであることを確定し、且つ前記スケジューリング情報における情報ドメインの値が約定値に等しくない場合、ネットワーク機器が前記アップリンクデータを正しく受信していないことを確定し、又は、前記検出結果がスケジューリング情報未受信であることを確定し、前記アップリンクデータを再度送信することを確定し、又は、前記検出結果がスケジューリング情報受信済みであることを確定し、且つ前記スケジューリング情報における情報ドメインの値が約定値に等しくない場合、前記アップリンクデータを再度送信することを確定することに用いられる。
【００５４】
１つの可能な例では、前記目標時間窓はＮ個の時間ユニットを含み、前記時間ユニットの長さが目標時間ユニットの長さと同じであり、前記目標時間ユニットは前記端末がグラントフリー（ｇｒａｎｔ−ｆｒｅｅ）方式でアップリンクデータを送信するための時間ユニットであり、Ｎが正の整数であり、又は、
前記目標時間窓はＮ個の時間ユニットを含み、前記時間ユニットの長さがダウンリンクデータ伝送ユニットの長さと同じであり、前記ダウンリンクデータ伝送ユニットはネットワーク機器がダウンリンクデータを送信することに用いられる。
【００５５】
１つの可能な例では、前記構成情報が無効情報であり、前記無効情報は前記端末が前記スケジューリング情報に示されるデータ伝送チャネルがデータ伝送をスケジューリングしていないことを確定することに用いられる。
【００５６】
処理ユニット３０２がプロセッサ、通信ユニット３０３が通信インターフェース、記憶ユニット３０１がメモリである場合、本発明の実施例に関わる端末は図３Ｂに示される端末であってもよい。
【００５７】
図３Ｂに示すように、該端末３１０はプロセッサ３１２、通信インターフェース３１３、メモリ３１１を備える。好ましくは、端末３１０は更にバス３１４を備えてもよい。通信インターフェース３１３、プロセッサ３１２及びメモリ３１１がバス３１４を介して互いに接続されてもよく、バス３１４はペリフェラルコンポーネントインターコネクト（ＰＣＩ：Ｐｅｒｉｐｈｅｒａｌ  Ｃｏｍｐｏｎｅｎｔ  Ｉｎｔｅｒｃｏｎｎｅｃｔ）バス又は拡張業界標準アーキテクチャ（ＥＩＳＡ：Ｅｘｔｅｎｄｅｄ  Ｉｎｄｕｓｔｒｙ  Ｓｔａｎｄａｒｄ  Ａｒｃｈｉｔｅｃｔｕｒｅ）バス等であってもよい。前記バス３１４はアドレスバス、データバス、制御バス等に分けられてもよい。示しやすくするために、図３Ｂでは１本のみの粗線で示されるが、１本のみのバス又は１つのみのタイプのバスを有すると示されるわけではない。
【００５８】
上記図３Ａ又は図３Ｂに示される端末が端末のための装置であると理解されてもよく、本発明の実施例は制限しない。
【００５９】
統合されたユニットを用いる場合、図４Ａには上記実施例に関わるネットワーク機器の可能な構造模式図を示す。ネットワーク機器４００は処理ユニット４０２及び通信ユニット４０３を備える。処理ユニット４０２はネットワーク機器の動作を制御管理することに用いられ、例えば、処理ユニット４０２はネットワーク機器が図２Ａにおけるステップ４０１及び／又は本明細書に説明される技術に用いた他の過程を実行することをサポートすることに用いられる。通信ユニット４０３はネットワーク機器と他の装置との通信、例えば図１に示される端末との通信をサポートすることに用いられる。ネットワーク機器は更にネットワーク機器のプログラムコードとデータを記憶するための記憶ユニット４０１を備えてもよい。
【００６０】
処理ユニット４０２は、前記通信ユニット４０３によって端末がグラントフリー（ｇｒａｎｔ−ｆｒｅｅ）方式で送信したアップリンクデータを正しく受信することに用いられ、目標時間窓内において、前記ネットワーク機器が前記アップリンクデータを正しく受信したことを前記端末に通知するための、データ伝送チャネルの構成情報を示すためのスケジューリング情報を送信することに用いられる。
【００６１】
１つの可能な例では、前記処理ユニット４０２は、更に、前記通信ユニット４０３によって前記目標時間窓の長さ及び／又は前記目標時間窓の開始位置を示すための指示情報を送信することに用いられる。
【００６２】
１つの可能な例では、前記目標時間窓の開始位置は、
前記アップリンクデータの終了位置、前記アップリンクデータの所在時間ユニットの終了位置、前記アップリンクデータの所在時間ユニットの後のＡ番目の時間ユニットの開始位置、前記アップリンクデータの所在時間ユニットの後のＢ番目のダウンリンク制御情報伝送ユニットの開始位置のうちのいずれか１つであり、ＡとＢが正の整数である。
【００６３】
１つの可能な例では、前記目標時間窓はＬ個のダウンリンク制御情報伝送ユニットを含み、前記ダウンリンク制御情報伝送ユニットはダウンリンク制御シグナリングを伝送することに用いられ、Ｌが正の整数である。
【００６４】
１つの可能な例では、前記スケジューリング情報はアップリンクデータ伝送をスケジューリングすることに用いられ、又は、
前記スケジューリング情報はアップリンクデータ伝送をスケジューリングすることに用いられ、且つ前記アップリンクデータを伝送するために使用される時間長が目標時間ユニットの長さと同じであり、前記目標時間ユニットは前記端末がｇｒａｎｔ−ｆｒｅｅでアップリンクデータを送信する時間ユニットである。
【００６５】
１つの可能な例では、前記スケジューリング情報はダウンリンクデータ伝送をスケジューリングすることに用いられる。
【００６６】
１つの可能な例では、前記スケジューリング情報における情報ドメインの値が約定値である。
【００６７】
１つの可能な例では、前記目標時間窓はＮ個の時間ユニットを含み、前記時間ユニットの長さが目標時間ユニットの長さと同じであり、前記目標時間ユニットは前記端末がグラントフリー（ｇｒａｎｔ−ｆｒｅｅ）方式でアップリンクデータを送信するための時間ユニットであり、Ｎが正の整数であり、又は、
前記目標時間窓はＮ個の時間ユニットを含み、前記時間ユニットの長さがダウンリンクデータ伝送ユニットの長さと同じであり、前記ダウンリンクデータ伝送ユニットはネットワーク機器がダウンリンクデータを送信することに用いられる。
【００６８】
１つの可能な例では、前記構成情報が無効情報であり、前記無効情報は前記端末が前記スケジューリング情報に示されるデータ伝送チャネルがデータ伝送をスケジューリングしていないことを確定することに用いられる。
【００６９】
処理ユニット４０２がプロセッサ、通信ユニット４０３が通信インターフェース、記憶ユニット４０１がメモリである場合、本発明の実施例に関わるネットワーク機器は図４Ｂに示されるネットワーク機器であってもよい。
【００７０】
図４Ｂに示すように、該ネットワーク機器４１０はプロセッサ４１２、通信インターフェース４１３、メモリ４１１を備える。好ましくは、ネットワーク機器４１０は更にバス４１４を備えてもよい。通信インターフェース４１３、プロセッサ４１２及びメモリ４１１はバス４１４を介して互いに接続されてもよく、バス４１４はペリフェラルコンポーネントインターコネクト（ＰＣＩ：Ｐｅｒｉｐｈｅｒａｌ  Ｃｏｍｐｏｎｅｎｔ  Ｉｎｔｅｒｃｏｎｎｅｃｔ）バス又は拡張業界標準アーキテクチャ（ＥＩＳＡ：Ｅｘｔｅｎｄｅｄ  Ｉｎｄｕｓｔｒｙ  Ｓｔａｎｄａｒｄ  Ａｒｃｈｉｔｅｃｔｕｒｅ）バス等であってもよい。前記バス４１４はアドレスバス、データバス、制御バス等に分けられてもよい。示しやすくするために、図４Ｂでは１本のみの粗線で示されるが、１本のみのバス又は１つのみのタイプのバスを有すると示されるわけではない。
【００７１】
上記図４Ａ又は図４Ｂに示されるネットワーク機器がネットワーク機器のための装置であると理解されてもよく、本発明の実施例は制限しない。
【００７２】
本発明の実施例は更に他の端末を提供し、図５に示すように、説明しやすくするために、本発明の実施例に関連する部分のみを示すが、未図示の具体的な技術的な詳細は本発明の実施例の方法部分を参照してもよい。該端末は携帯電話、タブレットＰＣ、ＰＤＡ（Ｐｅｒｓｏｎａｌ  Ｄｉｇｉｔａｌ  Ａｓｓｉｓｔａｎｔ、パーソナルデジタルアシスタント）、ＰＯＳ（Ｐｏｉｎｔ  ｏｆ  Ｓａｌｅｓ、販売端末）、車載コンピュータ等の任意の端末装置であってもよく、端末が携帯電話である場合を例として、
図５には本発明の実施例に係る端末に関連する携帯電話の部分構造のブロック図を示す。図５に示すように、携帯電話は無線周波数（ＲＦ：Ｒａｄｉｏ  Ｆｒｅｑｕｅｎｃｙ）回路５１０、メモリ５２０、入力ユニット５３０、表示ユニット５４０、センサ５５０、オーディオ回路５６０、ワイヤレスフィデリティ（ＷｉＦｉ：Ｗｉｒｅｌｅｓｓ  Ｆｉｄｅｌｉｔｙ）モジュール５７０、プロセッサ５８０及び電源５９０等の部材を備える。当業者であれば、図５に示される携帯電話の構造が携帯電話を制限するためのものではなく、図示より多く又は少ない部材を備えてもよく、又はいくつかの部材、又は様々な部材を組み合わせて配置してもよいと理解される。
【００７３】
以下、図５を参照しながら携帯電話の各構成部材を具体的に説明する。
【００７４】
ＲＦ回路５１０は情報の受信及び送信に用いられてもよい。一般的に、ＲＦ回路５１０はアンテナ、少なくとも１つの増幅器、送受信機、結合器、低雑音増幅器（ＬＮＡ：Ｌｏｗ  Ｎｏｉｓｅ  Ａｍｐｌｉｆｉｅｒ）、デュプレクサ等を含むが、それらに限らない。また、ＲＦ回路５１０は更に無線通信によってネットワーク及び他の装置と通信することができる。上記無線通信はいずれかの通信規格又はプロトコルを用いてもよく、それはモバイル通信用グローバルシステム（ＧＳＭ：Ｇｌｏｂａｌ  Ｓｙｓｔｅｍ  ｏｆ  Ｍｏｂｉｌｅ  ｃｏｍｍｕｎｉｃａｔｉｏｎ）、汎用パケット無線サービス（ＧＰＲＳ：Ｇｅｎｅｒａｌ  Ｐａｃｋｅｔ  Ｒａｄｉｏ  Ｓｅｒｖｉｃｅ）、符号分割多元接続（ＣＤＭＡ：Ｃｏｄｅ  Ｄｉｖｉｓｉｏｎ  Ｍｕｌｔｉｐｌｅ  Ａｃｃｅｓｓ）、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）、ロングタームエボリューション（ＬＴＥ：Ｌｏｎｇ  Ｔｅｒｍ  Ｅｖｏｌｕｔｉｏｎ）、電子メール、ショートメッセージサービス（ＳＭＳ：Ｓｈｏｒｔ  Ｍｅｓｓａｇｉｎｇ  Ｓｅｒｖｉｃｅ）等を含むが、それらに限らない。
【００７５】
メモリ５２０はソフトウェアプログラム及びモジュールを記憶することに用いられてもよく、プロセッサ５８０はメモリ５２０に記憶されるソフトウェアプログラム及びモジュールを実行することにより、携帯電話の様々な機能アプリケーション及びデータ処理を実行する。メモリ５２０は主に記憶プログラム領域及び記憶データ領域を含んでもよく、記憶プログラム領域にはオペレーティングシステム、少なくとも１つの機能に必要なアプリケーションプログラム等が記憶されてもよく、記憶データ領域には携帯電話の使用に応じて作成されたデータ等が記憶されてもよい。また、メモリ５２０は高速ランダムアクセスメモリを含んでもよく、更に不揮発性メモリ、例えば少なくとも１つの磁気ディスク記憶デバイス、フラッシュメモリデバイス、又は他の揮発性固体記憶デバイスを含んでもよい。
【００７６】
入力ユニット５３０は入力された数字又は文字情報を受信して、携帯電話のユーザー設定及び機能制御に関連するキー信号入力を生成することに用いられてもよい。具体的に、入力ユニット５３０は指紋認識モジュール５３１及び他の入力装置５３２を備えてもよい。指紋認識モジュール５３１はユーザーのその上の指紋データを収集することができる。指紋認識モジュール５３１を除き、入力ユニット５３０は更に他の入力装置５３２を備えてもよい。具体的に、他の入力装置５３２はタッチパネル、物理キーボード、機能キー（例えば、音量調節キー、切り替えキー等）、トラックボール、マウス、操作レバー等のうちの１つ又は複数を含んでもよいが、それらに限らない。
【００７７】
表示ユニット５４０はユーザーの入力した情報又はユーザーに提供した情報及び携帯電話の様々なメニューを表示することに用いられてもよい。表示ユニット５４０はディスプレイ５４１を備えてもよく、好ましくは、液晶ディスプレイ（ＬＣＤ：Ｌｉｑｕｉｄ  Ｃｒｙｓｔａｌ  Ｄｉｓｐｌａｙ）、有機発光ダイオード（ＯＬＥＤ：Ｏｒｇａｎｉｃ  Ｌｉｇｈｔ−Ｅｍｉｔｔｉｎｇ  Ｄｉｏｄｅ）等の形式でディスプレイ５４１を構成してもよい。図５では、指紋認識モジュール５３１とディスプレイ５４１が２つの独立した部材として携帯電話の入力及び入力機能を実現するが、いくつかの実施例では、指紋認識モジュール５３１とディスプレイ５４１を統合して携帯電話の入力及び再生機能を実現してもよい。
【００７８】
携帯電話は更に少なくとも１つのセンサ５５０、例えば光センサ、運動センサ及び他のセンサを含んでもよい。具体的に、光センサは環境光センサ及び接近センサを含んでもよく、環境光センサは環境光の輝度に基づいてディスプレイ５４１の輝度を調整することができ、接近センサは携帯電話を耳元に移動するとき、ディスプレイ５４１及び／又はバックライトを閉じることができる。運動センサの１つとして、加速度センサは各方向（一般的に、３軸）における加速度の大きさを検出することができ、静止時に重力の大きさ及び方向を検出することができ、携帯電話の姿勢を認識するアプリケーション（例えば、横画面と縦画面の切り替え、関連ゲーム、磁力計の姿勢校正）、振動認識関連機能（例えば、万歩計、ハンマリング）等に用いられてもよく、携帯電話に更に構成可能なジャイロスコープ、バロメーター、湿度計、温度計、赤外線センサ等の他のセンサについては、詳細な説明は省略する。
【００７９】
オーディオ回路５６０、スピーカー５６１、マイクロフォン５６２はユーザーと携帯電話との間のオーディオインターフェースを提供することができる。オーディオ回路５６０は受信されたオーディオデータ変換後の電気信号をスピーカー５６１に伝送して、スピーカー５６１によって音声信号に変換して再生することができる一方、マイクロフォン５６２は収集された音声信号を電気信号に変換して、オーディオ回路５６０によって受信してからオーディオデータに変換し、更にオーディオデータを再生してプロセッサ５８０によって処理した後、ＲＦ回路５１０によって例えば他の携帯電話に送信し、又はオーディオデータをメモリ５２０に再生して更なる処理を行う。
【００８０】
ＷｉＦｉは短距離無線伝送技術に属し、携帯電話はＷｉＦｉモジュール５７０によってユーザーの電子メールの送受信、ウェブページのブラウジング及びストリーミングメディアのアクセス等に役立ち、ユーザーに無線のブロードバンドインターネットアクセスを提供する。図５にＷｉＦｉモジュール５７０を示すが、ＷｉＦｉモジュール５７０が携帯電話の必須構成に属さず、発明の本質を変えない範囲内に必要に応じて省略してもよいと理解される。
【００８１】
プロセッサ５８０は携帯電話の制御センターであり、様々なインターフェース及び回路を利用して携帯電話全体の各部分を接続し、メモリ５２０に記憶されるソフトウェアプログラム及び／又はモジュールを動作又は実行し、メモリ５２０に記憶されるデータを呼び出して、携帯電話の様々な機能と処理データを実行し、それにより携帯電話全体を監視する。好ましくは、プロセッサ５８０は１つ又は複数の処理ユニットを備えてもよく、好ましくは、プロセッサ５８０はアプリケーションプロセッサとモデムプロセッサを統合することができ、アプリケーションプロセッサは主にオペレーティングシステム、ユーザーインターフェース及びアプリケーションプログラム等を処理し、モデムプロセッサは主に無線通信を処理する。上記モデムプロセッサがプロセッサ５８０に統合されなくてもよいと理解される。
【００８２】
携帯電話は更に各部材に給電する電源５９０（例えば、電池）を備え、好ましくは、電源は電源管理システムによってプロセッサ５８０に論理接続されてもよく、それにより電源管理システムによって管理充電、放電及び消費電力管理等の機能を実現する。
【００８３】
図示しないが、携帯電話は更にカメラ、ブルートゥースモジュール等を備えてもよく、ここで詳細な説明は省略する。
【００８４】
上記図２Ａに示される実施例では、各ステップ方法における端末側のプロセスは該携帯電話の構造によって実現されてもよい。
【００８５】
上記図３Ａ〜図３Ｂに示される実施例では、各ユニット機能が該携帯電話の構造によって実現されてもよい。
【００８６】
本発明の実施例は更にコンピュータ記憶媒体を提供し、該コンピュータ記憶媒体にプログラムが記憶されてもよく、該プログラムは実行時に上記方法実施例に記載のいずれか１つのデータ伝送方法の一部又は全部のステップを含む。
【００８７】
本発明の実施例に説明される方法又はアルゴリズムのステップはハードウェアの方式で実現されてもよいし、プロセッサがソフトウェア命令を実行することで実現されてもよい。ソフトウェア命令は対応するソフトウェアモジュールで構成されてもよく、ソフトウェアモジュールはランダムアクセスメモリ（ＲＡＭ：Ｒａｎｄｏｍ  Ａｃｃｅｓｓ  Ｍｅｍｏｒｙ）、フラッシュメモリ、読み出し専用メモリ（ＲＯＭ：Ｒｅａｄ  Ｏｎｌｙ  Ｍｅｍｏｒｙ）、消去可能プログラム可能読み出し専用メモリ（ＥＰＲＯＭ：Ｅｒａｓａｂｌｅ  Ｐｒｏｇｒａｍｍａｂｌｅ  ＲＯＭ）、電気的消去可能プログラム可能読み出し専用メモリ（ＥＥＰＲＯＭ：Ｅｌｅｃｔｒｉｃａｌｌｙ  ＥＰＲＯＭ）、レジスタ、ハードディスク、ポータブルハードディスク、読み出し専用光ディスク（ＣＤ−ＲＯＭ）又は本分野でよく知られる任意の他の形式の記憶媒体に記憶されてもよい。例示的な記憶媒体がプロセッサに結合され、それによりプロセッサは該記憶媒体から情報を読み取って、該記憶媒体に情報を書き込むことができる。当然ながら、記憶媒体は更にプロセッサの構成部分であってもよい。プロセッサ及び記憶媒体がＡＳＩＣに位置してもよい。また、該ＡＳＩＣがゲートウェイデバイス又はモビリティ管理ネットワーク要素に位置してもよい。当然ながら、プロセッサ及び記憶媒体が個別コンポーネントとしてゲートウェイデバイス又はモビリティ管理ネットワーク要素に位置してもよい。
【００８８】
当業者であれば、上記１つ又は複数の例では、本発明の実施例に説明される機能はハードウェア、ソフトウェア、ファームウェア又はそれらの任意の組み合わせで実現されてもよいと理解すべきである。ソフトウェアで実現される場合、これらの機能をコンピュータ可読媒体に記憶し又はコンピュータ可読媒体における１つ又は複数の命令又はコードとして伝送してもよい。コンピュータ可読媒体はコンピュータ記憶媒体及び通信媒体を含み、通信媒体は一箇所から他の箇所へコンピュータプログラムを容易に伝送できる任意の媒体を含む。記憶媒体は汎用又は専用コンピュータがアクセスできる任意の利用可能媒体であってもよい。
【００８９】
以上に説明される具体的な実施形態は、本発明の実施例の目的、技術案及び有益な効果を更に詳しく説明したが、以上の説明は本発明の実施例の具体的な実施形態に過ぎず、本発明の実施例の保護範囲を制限するためのものではなく、本発明の実施例の技術案に基づき行ったいかなる修正、等価置換、改良等は、いずれも本発明の実施例の保護範囲内に含まれるべきであると理解すべきである。
【手続補正２】
【補正対象書類名】特許請求の範囲
【補正対象項目名】全文
【補正方法】変更
【補正の内容】
【特許請求の範囲】
【請求項１】
データ伝送方法であって、
端末は、グラントフリー（ｇｒａｎｔ−ｆｒｅｅ）方式でアップリンクデータを送信することと、
前記端末は、目標時間窓内において、データ伝送チャネルの構成情報を示すためのスケジューリング情報を検出して、検出結果を生成することと、
前記端末は、前記検出結果に基づいて前記アップリンクデータを再度送信するかどうかを確定することと、を含むことを特徴とする、前記データ伝送方法。
【請求項２】
前記方法は、更に、
前記端末は、前記目標時間窓の長さ及び／又は前記目標時間窓の開始位置を示すための指示情報を受信することを含むことを特徴とする
請求項１に記載の方法。
【請求項３】
前記目標時間窓の開始位置は、
前記アップリンクデータの終了位置、前記アップリンクデータの所在時間ユニットの終了位置、前記アップリンクデータの所在時間ユニットの後のＡ番目の時間ユニットの開始位置、前記アップリンクデータの所在時間ユニットの後のＢ番目のダウンリンク制御情報伝送ユニットの開始位置のうちのいずれか１つであり、ＡとＢが正の整数であることを特徴とする
請求項１又は２に記載の方法。
【請求項４】
前記目標時間窓はＬ個のダウンリンク制御情報伝送ユニットを含み、前記ダウンリンク制御情報伝送ユニットはダウンリンク制御シグナリングを伝送することに用いられ、Ｌが正の整数であることを特徴とする
請求項１〜３のいずれか１項に記載の方法。
【請求項５】
前記スケジューリング情報はアップリンクデータ伝送をスケジューリングすることに用いられ、又は、
前記スケジューリング情報はダウンリンクデータ伝送をスケジューリングすることに用いられることを特徴とする
請求項１〜４のいずれか１項に記載の方法。
【請求項６】
前記端末が前記検出結果に基づいて前記アップリンクデータを再度送信するかどうかを確定することは、
前記端末は、前記検出結果がスケジューリング情報受信済みであることを確定し、且つ前記スケジューリング情報における情報ドメインの値が約定値である場合、前記アップリンクデータを再送信しないことを確定することを含むことを特徴とする
請求項１〜４のいずれか１項に記載の方法。
【請求項７】
前記端末が前記検出結果に基づいて前記アップリンクデータを再度送信するかどうかを確定することは、
前記端末は、前記検出結果がスケジューリング情報未受信であることを確定し、ネットワーク機器が前記アップリンクデータを正しく受信していないことを確定し、又は、
前記端末は、前記検出結果がスケジューリング情報受信済みであることを確定し、且つ前記スケジューリング情報における情報ドメインの値が約定値に等しくない場合、ネットワーク機器が前記アップリンクデータを正しく受信していないことを確定し、又は、
前記端末は、前記検出結果がスケジューリング情報未受信であることを確定し、前記アップリンクデータを再度送信することを確定し、又は、
前記端末は、前記検出結果がスケジューリング情報受信済みであることを確定し、且つ前記スケジューリング情報における情報ドメインの値が約定値に等しくない場合、前記アップリンクデータを再度送信することを確定することを含むことを特徴とする
請求項１〜４のいずれか１項に記載の方法。
【請求項８】
端末であって、
処理ユニット及び通信ユニットを備え、
前記処理ユニットは、グラントフリー（ｇｒａｎｔ−ｆｒｅｅ）方式で前記通信ユニットによってアップリンクデータを送信するように構成され、また、目標時間窓内において、データ伝送チャネルの構成情報を示すためのスケジューリング情報を検出して、検出結果を生成するように構成され、また、前記検出結果に基づいて前記アップリンクデータを再度送信するかどうかを確定するように構成されることを特徴とする、前記端末。
【請求項９】
前記処理ユニットは、更に、前記通信ユニットによって前記目標時間窓の長さ及び／又は前記目標時間窓の開始位置を示すための指示情報を受信するように構成されることを特徴とする
請求項８に記載の端末。
【請求項１０】
前記目標時間窓の開始位置は、
前記アップリンクデータの終了位置、前記アップリンクデータの所在時間ユニットの終了位置、前記アップリンクデータの所在時間ユニットの後のＡ番目の時間ユニットの開始位置、前記アップリンクデータの所在時間ユニットの後のＢ番目のダウンリンク制御情報伝送ユニットの開始位置のうちのいずれか１つであり、ＡとＢが正の整数であることを特徴とする
請求項８又は９に記載の端末。
【請求項１１】
前記目標時間窓はＬ個のダウンリンク制御情報伝送ユニットを含み、前記ダウンリンク制御情報伝送ユニットはダウンリンク制御シグナリングを伝送することに用いられ、Ｌが正の整数であることを特徴とする
請求項８〜１０のいずれか１項に記載の端末。
【請求項１２】
前記スケジューリング情報はアップリンクデータ伝送をスケジューリングすることに用いられ、又は、
前記スケジューリング情報はダウンリンクデータ伝送をスケジューリングすることに用いられることを特徴とする
請求項８〜１１のいずれか１項に記載の端末。
【請求項１３】
前記処理ユニットは、具体的に、前記検出結果がスケジューリング情報受信済みであることを確定し、ネットワーク機器が前記アップリンクデータを正しく受信したことを確定するように構成されることを特徴とする
請求項８〜１１のいずれか１項に記載の端末。
【請求項１４】
前記処理ユニットは、具体的に、前記検出結果がスケジューリング情報受信済みであることを確定し、且つ前記スケジューリング情報における情報ドメインの値が約定値である場合、前記アップリンクデータを再送信しないことを確定するように構成されることを特徴とする
請求項８〜１１のいずれか１項に記載の端末。
【請求項１５】
前記処理ユニットは、具体的に、前記検出結果がスケジューリング情報未受信であることを確定し、ネットワーク機器が前記アップリンクデータを正しく受信していないことを確定し、又は、前記検出結果がスケジューリング情報受信済みであることを確定し、且つ前記スケジューリング情報における情報ドメインの値が約定値に等しくない場合、ネットワーク機器が前記アップリンクデータを正しく受信していないことを確定し、又は、前記検出結果がスケジューリング情報未受信であることを確定し、前記アップリンクデータを再度送信することを確定し、又は、前記検出結果がスケジューリング情報受信済みであることを確定し、且つ前記スケジューリング情報における情報ドメインの値が約定値に等しくない場合、前記アップリンクデータを再度送信することを確定するように構成されることを特徴とする
請求項８〜１１のいずれか１項に記載の端末。
【手続補正３】
【補正対象書類名】図面
【補正対象項目名】図３Ｂ
【補正方法】変更
【補正の内容】
【図３Ｂ】
2020505803.tif 000017
【手続補正４】
【補正対象書類名】図面
【補正対象項目名】図４Ｂ
【補正方法】変更
【補正の内容】
【図４Ｂ】
2020505803.tif 000018
【国際調査報告】
2020505803.tif 000019
2020505803.tif 000020
2020505803.tif 000021
2020505803.tif 000022